(57)【特許請求の範囲】
【請求項１】
物体の少なくとも色特性を含む光学特性を判定する装置において、
前記物体付近に配置可能なプローブであって、該プローブは前記物体に光を供給する１以上の光源および前記物体からの光を受ける１以上の受光器を有し、前記１以上の光源および１以上の受光器は少なくとも１つの最小高さを規定し、前記プローブが前記物体から前記最小高さよりも小さい距離にあるとき、前記物体の一表面から反射される光が前記１以上の受光器によって受光および伝搬されない、プローブと、
プローブ上に配置するよう適応され、光が透過する少なくとも１端部を有する取り外し可能な保護用バリアであって、光は前記物体に供給され、該物体から透過により前記保護用バリアを通して受けられ、前記最小高さより小さい厚さを有する保護用バリアと、
前記１以上の受光器の１つによって受光および伝搬された光の強度を複数のスペクトル帯で測定する検知ユニットと、
前記検知ユニットからの測定値情報を受ける処理ユニットであって、前記複数のスペクトル帯における１以上の強度測定値に応答して、前記物体の少なくとも色特性を含む光学特性を判定する処理ユニットと、
を備えた装置。
【請求項２】
請求項１記載の装置において、前記測定値の少なくとも２組が前記複数のスペクトル帯において取得され、前記光学特性が色特性および半透明特性を含む、装置。
【請求項３】
請求項１記載の装置において、少なくとも１つの測定値が、前記物体から前記最小高さよりも小さい距離に位置する前記プローブによって取得される、装置。
【請求項４】
請求項１記載の装置において、前記１以上の受光器の１つによって受光および伝搬された光が複数の光−周波数変換器エレメントに結合され、前記複数のスペクトル帯における光の強度が前記光−周波数変換器エレメントからの信号を前記処理ユニットに結合することによって測定される、装置。
【請求項５】
請求項４記載の装置において、前記複数のスペクトル帯における光の強度が、タイミング・ループを介して周期的時間間隔で、並列の前記光−周波数変換器エレメントからの出力信号を読みとることによって測定される、装置。
【請求項６】
請求項４記載の装置において、前記光が、複数のフィルタ・エレメントを介して前記複数の光−周波数変換器エレメントに結合される、装置。
【請求項７】
請求項６記載の装置において、前記フィルタ・エレメントがバンド・パス・フィルタからなる、装置。
【請求項８】
請求項１記載の装置において、前記保護用バリアが使い捨てシールドからなる、装置。
【請求項９】
請求項１記載の装置において、較正測定値が前記保護用バリアを前記プローブに取り付けた後に取得され、前記光学特性が前記較正測定値によって生成されたデータに基づいて判定される、装置。
【請求項１０】
請求項１記載の装置において、前記１以上の受光器に１以上のセンサが結合され、該１以上のセンサは前記物体に対する前記プローブの物理的位置を示すデータを生成する、装置。
【請求項１１】
請求項１０記載の装置において、前記物体に対する前記プローブの物理的位置を示すデータに基づいて、前記１以上の強度測定値からのデータが選択的に受け付けられ、拒絶され、または補償される、装置。
【請求項１２】
請求項１０記載の装置において、前記物体の光学特性を示すデータが１以上のシェード値に最も近い一致または複数の一致の形態で出力される、装置。
【請求項１３】
請求項１０記載の装置において、前記物体の光学特性を示すデータが、前記物体の光学特性に対応する光学特性を有する第２の物体を生成するために使用される材料の配合に対応する形態で出力される、装置。
【発明の詳細な説明】
発明の分野
本発明は、物体、例えば歯の色のような光学特性を測定するデバイスおよび方法に関し、更に特定すれば、高さまたは角度の依存性に伴う問題を最少に抑えたハンドヘルド・プローブを用いて、歯またはその他の物体、あるいは表面の色およびその他の光学特性を測定するデバイスおよび方法に関するものである。
発明の背景
歯科学の分野において、歯およびその他の物体の色またはその他の光学特性を測定するデバイスおよび方法に対する必要性が認識されている。分光光度計（spectrophotometer）や測色計（colorimeter）のような種々の色測定デバイスが、当技術分野では公知である。かかる従来のデバイスの限界を理解するためには、色に関するある種の原理を理解することが助けとなる。理論的な裏付けはしないが、本出願人は以下の議論を行うことにする。この議論においては、「物体」等に言及するが、かかる議論は「物体」として歯を含み得ることを理解すべきである。
物体の色は、光が当該物体の表面から反射される態様を決定する。光が物体に入射するとき、反射光は、物体の表面の色に応じて、強度および波長が異なる。したがって、赤い物体は、青または緑の物体よりも強い強度で赤い光を反射し、、同様に緑の物体は、赤い物体または青い物体よりも強い強度で、緑の光を反射する。
物体の色を評価する方法の１つに、それを広帯域スペクトル即ち「白い」光で照明し、可視スペクトル全体におよぶ反射光のスペクトル特性を測定し、反射スペクトルを入射光スペクトルと比較するというものがある。かかる計器は、典型的に、広帯域分光光度計を必要とするが、通常、高価であり、嵩張り、比較的操作がやっかいなために、かかる計器の実用的な応用は限られている。
ある種の用途では、分光光度計によって与えられる広帯域データは不要な場合がある。かかる用途では、数値、または物体の色を表す値の比較的小さな集合によって、色を評価するデバイスが製造または提案されている。
物体の色は、３つの値で表現可能であることは公知である。例えば、物体の色は、ＣＩＥ値によって、または「三刺激値（tristimulus values）」として知られているものによって、あるいはその他の多数の直交結合（orthogonal combination）によって、赤、緑および青値、強度値および色差値で表すことができる。３つの値が直交する、即ち、集合内の２つの要素のいずれの組み合わせも、第３の要素には含まれ得ないことは重要である。
物体の色を評価するかかる方法の１つに、広帯域「白色」光で物体を照明し、狭帯域フィルタを通過させた後に、反射光の強度を測定するというものがある。典型的には３つのフィルタ（例えば赤、緑および青）を用いて、表面の色を表す三刺激光の値を供給する。更に他の方法に、一度に１つずつ３つの単色光源（例えば赤、緑および青）で物体を照明し、次に単一の光センサを用いて反射光の強度を測定するというものがある。次に、３つの測定値を、表面の色を表す三刺激値に変換する。かかる色測定技法は、表面の色を表す等価な三刺激値を生成するために利用することができる。通常、複数のカラー・センサ（または分光測光計の場合は連続体）と共に「白色」光源を用いても、単一光センサと共に複数の有色光源を利用しても、問題にはならない。
しかしながら、従来の技法には難点がある。光が表面に入射し、受光部に反射される場合、光センサの高さ、ならびに表面および光源に対するセンサの角度が、受ける光の強度にも影響を与える。色の判定は、異なる色に対して、受けた光の強度を測定し評価することによって行われるので、受光部の高さおよび角度依存性を排除すること、または何らかの方法で考慮することは重要である。
光源および受光部の高さおよび角度依存性を解消する１つの方法に、固定取り付け構成を備え、光源および受光部を固定化し、物体の配置および測定を常に予め設定された高さおよび角度で行うというものがある。固定取り付け構成は、かかる方法の適用可能性を大きく制限する。別の方法に、光源および受光ブローブに取り付け脚を追加し、物体をプローブに接触させ、一定の高さおよび角度を保持するというものがある。かかる装置における脚部は、物体に対して一定の角度（通常垂直）を維持することを保証するために、十分に広く離れていなければならない。かかる装置は、小さな物体上、または到達するのが困難な物体上で利用するのが非常に難しく、通常、曲面を有する物体を測定する際には満足のいくように機能することができない。かかるデバイスは、歯科学の分野において実施するのが、特に困難である。
歯科学の分野における色測定デバイスの使用が提案されている。最近の歯科学では、歯の色は、典型的に、患者の歯を１組の「シェード・ガイド（shade guide）」と手作業で比較することによって評価される。義歯（dental prosthesis）の所望の色を適正に選択するために、歯科医は多数のシェード・ガイドを利用することが可能である。かかるシェード・ガイドは、数十年にわって利用されてきており、色の決定は、１組のシェード・ガイドを患者の歯の隣に保持し、最もよく一致するものを見つけ出そうとすることによって、歯科医が主観的に行っていた。しかしながら、不幸なことに、最良の一致は、しばしば、歯科治療室（dental operatory）における周囲の光の色や、患者の化粧または衣服の周囲色、更に歯科医の疲労度によって影響される。更に、義歯、充填材（filling）等を形成するための既存の業界のシェード・ガイドとの主観的な照合に基づくかかる疑似試行錯誤法で得られる色の一致は、受け入れ難い場合も多く、その結果義歯を作り直さねければならず、患者、歯科医＝専門家および／または義歯製造者にコスト増や不都合を招くことになる。
同様の主観的な色の評価は、塗装業界においても行われており、物体の色を塗料基準ガイドと比較する。この業界では多数の塗料ガイドが入手可能であり、色の判定も、多くの場合、周囲の光の色、ユーザの疲労、およびユーザの色に対する感受性によって影響される。多くの人はある種の色には色感がなく（色盲）、更に色の判定を複雑化することになる。
しかしながら、歯科学の分野において必要性が認識されているが、従来の色／光学測定技法の限界が、典型的には、かかる技法の利用を制限している。例えば、典型的な広帯域分光計は、高コストでおよび嵩張ること、更に高さおよび角度依存性に対処するために固定取り付け構成または脚部が必要なことのために、かかる従来技術の適用可能性がしばしば制限されている。
更に、かかる従来の方法およびデバイスの他の制約として、高さおよび角度依存性問題の解決が、典型的には、測定対象物体と接触することを必要とする点があげられる。ある種の用途では、物体の色を測定し評価する際に、この物体の表面との接触を必要としない小さなプローブを用いることが望ましい場合がある。ある種の用途では、例えば、衛生上の考慮から、かかる接触は望ましくない。その他の用途では、物体との接触が、表面に傷を付けたり（何らかの方法で物体を被覆する場合のように）、あるいは望ましくない影響の原因となる可能性がある。
要約すれば、歯科学の分野およびその他の用途では、物体との物理的な接触を必要とせず、物体の色およびその他の光学特性を信頼性高く測定し評価することができる、低価格で、小形のハンドヘルド・プローブ、ならびにかかるデバイスに基づく方法が必要とされている。
発明の概要
本発明によれば、信頼性高く、しかも高さおよび角度依存性の問題を最少に抑え、歯のような物体の色およびその他の光学特性を測定するデバイスおよび方法を提供する。本発明では、ハンドヘルド・プローブを利用する。ある種の好適な実施形態では、このハンドヘルド・プローブは、多数の光ファイバを内蔵する。１つ（以上）の光源（群）から、測定対象物体／歯に光を差し向ける。ある種の好適な実施形態では、光源は、中央光源光ファイバである（他の光源および光源配列も利用可能である）。物体から反射した光は、多数の受光部（受光器）によって検出される。これらの受光部（受光部光ファイバとすることができる）に含まれるのは、複数の周囲受光部（受光部光ファイバ等とすることができる）である。ある種の好適な実施形態では、３本の周囲光ファイバを用いて、所望の、そして所定の高さおよび角度で測定を行うことによって、従来の方法において見られた高さおよび角度依存性の問題を最少に抑える。ある種の実施形態では、本発明は、測定対象物体／歯の半透明性（translucence）および蛍光（fluorescence）特性や、表面構造および／またはその他の光学的特性または表面特性を測定することも可能である。
本発明は、広帯域分光光度計の構成要素を含むことができ、また代わりに、三刺激型測色計の構成要素を含んでもよい。本発明は、種々の色測定デバイスを用い、実用的で、信頼性高くかつ効率的に色を測定することができ、ある種の好適な実施形態では、カラー・フィルタ・アレイや複数のカラー・センサを含む。制御および計算の目的のために、マイクロプロセッサを含ませる。温度センサを含ませて温度を測定し、異常状態の測定および／またはフィルタまたはシステムのその他の構成物の温度効果の補償を行う。加えて、本発明は、オーディオ・フィードバックを含み、色／光学測定を行う際にオペレータを誘導することができ、更に、１つ以上の表示デバイスを含み、制御、ステータスまたはその他の情報を表示させてもよい。
本発明によって、ハンドヘルド・プローブを用い実用的かつ信頼性高い歯等の色／光学的測定が可能となり、本質的に高さおよび角度依存性の問題がなく、物体／歯に対してプローブの高さおよび角度を固定するための固定具、脚、またはその他の望ましくない機械的構成に頼ることもない。加えて、本発明は、かかる色測定データを用いて、義歯等を形成するプロセスを実施する方法、ならびにかかる色および／またはその他のデータを患者記録データベースの一部として保持する方法も含む。
したがって、本発明の目的は、従来の色／光学測定技法の限界に対処することである。
本発明の他の目的は、物体または表面との接触を必要としない、実用的な大きさのハンドヘルド・プローブを用いて、歯またはその他の物体あるいは表面の色またはその他の光学特性を測定する際に有用な、方法およびデバイスを提供することである。
本発明の別の目的は、固定位置機械的取り付け用脚部またはその他の機械的な障害物を必要としない、色／光学測定プローブおよび方法を提供することである。
本発明の更に他の目的は、測定対象の表面付近に単に置くだけのプローブと共に利用可能であり、色またはその他の光学特性を測定する際に有用なプローブおよび方法を提供することである。
本発明の更に別の目的は、測定対象物体の半透明特性を判定可能なプローブおよび方法を提供することである。
本発明の別の目的は、測定対象物体／歯の表面組織特性を判定可能なプローブおよび方法を提供することである。
本発明の更に別の目的は、測定対象物体／歯の蛍光特性を判定可能なプローブおよび方法を提供することである。
本発明のその他の目的は、プローブを領域全体に渡って移動させ、更に領域全体の色を統合することにより、小さな特異点（spot singulary）の面積を測定可能な、あるいは不規則な形状の色を測定可能なプローブおよび方法を提供することである。
本発明の更に別の目的は、歯の色を測定し、義歯、有床義歯（denture）、口腔内有色歯填材（intraoral tooth-colored fillings）またはその他の材料を用意する方法を提供することである。
本発明の更に他の目的は、汚染問題を最少に抑えつつ、信頼性高くしかも便利に歯の測定を行い、義歯、有床義歯、口腔内有色歯填材またはその他の材料を用意する方法および装置を提供することである。
本発明の目的は、測定データを用いて、義歯等を形成するプロセスを実施する方法、ならびにかかる測定および／またはその他のデータを患者記録データベースの一部として保持する方法を提供することである。
また、本発明の目的は、測定対象物体または歯に対して実質的に固定的に保持されるプローブを用いて、光学特性を測定するプローブおよび方法を提供することである。
最後に、本発明の目的は、洗浄のための取り外し、使用後の廃棄等が可能な、着脱自在の先端またはシールドを有することができるプローブを用いて、光学特性を測定するプローブおよび方法を提供することである。
【図面の簡単な説明】
本発明は、添付図面との関連付けたある種の好適な実施形態の記載によって、より深く理解することができよう。図面において、
図１は、本発明の好適な実施形態を示す図である。
図２は、本発明の好適な実施形態によるプローブの断面を示す図である。
図３は、本発明の好適な実施形態と共に用いる、光ファイバ受光部およびセンサの構成を示す図である。
図４Ａないし図４Ｃは、光ファイバのある種の幾何学形状に関する検討を示す。
図５Ａおよび図５Ｂは、物体からの高さの関数として、光ファイバ受光部によって受光される光の振幅を示す。
図６は、本発明の実施形態による色測定方法を示すフロー・チャートである。
図７Ａおよび図７Ｂは、本発明のある種の実施形態と共に用いることができる保護用キャップを示す。
図８Ａおよび図８Ｂは、本発明のある種の実施形態と共に使用可能な着脱自在プローブ・チップを示す。
図９は、本発明の他の好適な実施形態による光ファイバの束を示す。
図１０Ａ、図１０Ｂ、図１０Ｃおよび図１０Ｄは、本発明の更に他の好適な実施形態にしたがって使用可能な、他の光ファイバ束構成を示し、記載する。
図１１は、本発明のある種の実施形態において使用可能な直線光センサ・アレイを示す。
図１２は、本発明のある種の実施形態において使用可能なマトリクス光センサ・アレイを示す。
図１３Ａおよび図１３Ｂは、本発明のある種の実施形態において使用可能なフィルタ・アレイのある種の光学特性を示す。
図１４Ａおよび図１４Ｂは、本発明のある種の実施形態において使用される受光部の受光強度の例を示す。
図１５は、本発明のある種の好適な実施形態において使用可能なオーディオ・トーンを示すフロー・チャートである。
図１６は、本発明の好適な実施形態による、義歯製造方法を示すフロー・チャートである。
図１７Ａおよび図１７Ｂは、本発明のある種の実施形態において用いられる位置決めの実施を示す。
図１８は、本発明のある種の実施形態による患者データベース方法を示すフロー・チャートである。
図１９は、測定デバイスおよびその他の器具を含む、本発明による統合化装置を示す。
図２０は、測定対象物体に対して実質的に固定的に保持されたプローブを用いて測定を行うために利用可能な複数の受光部リングを利用する、本発明の実施形態を示す。
図２１および図２２は、機械的な移動を利用し、測定対象物体に対して実質的に固定的に保持されたプローブを用いて測定を行うために利用可能な、本発明の実施形態を示す。
図２３Ａないし図２３Ｃは、コヒーレント光導管が着脱自在のプローブ・チップとして機能することができる、本発明の実施形態を示す。
図２４、図２５および図２６は、本発明にしたがって、口腔内反射率計、口腔内カメラおよび／または較正チャートを用いる、本発明の更に別の実施形態を示す。
図２７は、本発明による口腔内カメラおよび／またはその他の器具を、歯科診察椅子に取り付け可能な、本発明の実施形態を示す。
好適な実施形態の詳細な説明
いくつかの好適な実施形態を参照しながら、本発明について詳細に説明する。本明細書の色々な所で、例えば、「物体」に言及する。本発明の使用例は、歯科学の分野におけるものであり、したがってこの物体は典型的に、歯、有床義歯、歯用セメントなどを含むことを理解すべきであるが、説明の目的のために、場合によっては「物体」のみに言及することは理解されよう。後述するが、種々の実施形態の種々の改良および交換も、本明細書における原理および教示に基づいて可能である。
図１を参照し、本発明による色／光学特性測定システムおよび方法の好適な実施形態の一例を説明する。本明細書の色々な所で、かかる色測定システムのことを、時として口腔内反射率計などと呼ぶことを注記しておく。
プローブ・チップ１は、複数の光ファイバを内包し、その各々が１本以上の光ファイバから成るものとすることができる。好適な実施形態では、プローブ・チップ１内に内蔵されている光ファイバは、単一の光源光ファイバと、３本の受光部光ファイバとを含む。物体の色またはその他の光学特性を測定するためのかかる光ファイバの使用については、後で説明する。プローブ・チップ１は、プローブ本体２に取り付けられ、プローブ本体２上には、スイッチ１７が固定されている。スイッチ１７はワイヤ１８を通じてマイクロプロセッサ１０と通信し、例えば、オペレータがデバイスを作動させ、色／光学測定を行うための機構を備える。プローブ・チップ１内の光ファイバは、その先端（即ち、プローブ本体２から遠い端部）において終端する。プローブ・チップ１の先端は、測定対象物体の表面に向けられているが、これについては以下で更に詳しく説明する。プローブ・チップ１内の光ファイバは、光学的に、ファイバ本体２を貫通し、光ファイバ・ケーブル３を介して光センサ８に達する。光センサ８は、マイクロプロセッサ１０に結合されている。
マイクロプロセッサ１０は、従来の関連する構成物、即ち、メモリ（ＰＲＯＭ、ＥＰＲＯＭまたはＥＥＰＲＯＭのようなプログラム可能メモリ、ＤＲＡＭまたはＳＲＡＭのようなワーキングメモリ、および／またはＦＬＡＳＨ等の不揮発性メモリのような他のタイプのメモリ）、周辺回路、クロックおよび電源のような構成物を含むが、明確化のために、かかる構成物は明示的に示していないことを注記しておく。他のタイプの計算装置（他のマイクロプロセッサ・システム、プログラム可能ロジック・アレイ等）が、本発明の他の実施形態には用いられる。
図１の実施形態において、光ファイバ・ケーブル３からの光ファイバは、接合コネクタ（splicing connector）４において終端する。接合コネクタ４から、本実施形態において用いられる３本の受光部光ファイバの各々は、少なくとも５本の小さな光ファイバ（全体としてファイバ７として示す）に継がれる。この実施形態では、これらの光ファイバは、直径が等しい光ファイバであるが、他の実施形態では、異なる直径の場合もある（「高さ／角度」がより大きいまたはより小さい、あるいは周囲ファイバ（perimeter fiber）。以下で更に詳しく説明する）。５本のファイバから成る各群のファイバの１本は、中性濃度フィルタ（neutral density filter）（図３を参照しながら更に詳しく説明する）を介して光センサ８に至り、かかる中性的にフィルタ処理されるファイバは、集合的に高さ／角度の判定の目的のために用いられる（更に、以下で更に詳しく説明するように、表面特性を測定するためにも用いることができる）。各ファイバ群の残りの４本のファイバは、カラー・フィルタを介して光センサ８に至り、色／光学測定を行うために用いられる。更に他の実施形態では、接合コネクタ４を用いずに、例えば、５本以上のファイバ束が各々、光センサ８から、プローブ・チップ１の先端まで延在する。ある種の実施形態では、例えば、ファイバ束の製造プロセスを容易にする目的のために、未使用のファイバまたはその他の材料を、ファイバの束の一部として含ませてもよい。ここで注記すべきことは、本発明の目的のために、複数の受光部光ファイバまたはエレメント（ファイバ７のような）が光センサ８に面し、受光部光ファイバ／エレメントからの光が、物体２０から反射した光を表すことである。ここに記載する種々の実施形態は、本発明の以前では明らかでなかったかもしれないトレードオフおよび利点（したがって、独立して新規な利点）を提示するが、この説明にとって重要なことは、プローブ・チップ１の先端における光ファイバ／エレメントからの光がセンサ８に供給され、色／光学測定および角度／高さ判定などが行われることである。
好適な実施形態における光源１１は、ハロゲン光源（例えば、５〜１００ワットで、特定の用途に対して特定のワット数を選択する）であり、マイクロプロセッサ１０の制御下に置くことができる。光源１１からの光は、コールド・ミラー６から反射し、光源光ファイバ５に入射する。光源光ファイバ５は、プローブ・チップ１の先端を通過し、ここに記載する測定を行う目的のために用いられる光刺激を与える。コールド・ミラー６は可視光を反射し、赤外光を通過させる。これは、光が光源光ファイバ５に導入される前に、光源１１によって生成される赤外光の量を減少させるために用いられる。光源１１のようなハロゲン光源からの光の、このような赤外光減少は、受光センサの飽和を防止するのに役立ち、システム全体の感度を低下させることができる。ファイバ１５は、光源１１から直接光を受光し、光センサ８に通過させる（中性濃度フィルタを通してもよい）。マイクロプロセッサ１０は、ファイバ１５を通過した光源１１の光出力を監視し、こうして光源１１の出力のドリフトを監視し、必要であれば、これを補償することができる。ある種の実施形態では、光源１１の異常またはその他の望ましくない挙動が検出された場合、マイクロプロセッサ１０は、アラーム（スピーカ１６によって等）を発生したり、あるいは何らかの指示を与えることもできる。
光センサ８からのデータ出力はマイクロプロセッサ１０に至る。マイクロプロセッサ１０は、光センサ８からのデータを処理し、色および／またはその他の特性の測定値を得る。また、マイクロプロセサ１０は、入力デバイスとして機能する、キー・パッド・スイッチ１２にも結合されている。キー・パッド・スイッチ１２を通して、オペレータは制御情報またはコマンド、あるいは測定対象等に関する情報を入力することができる。通常、キー・パッド・スイッチ１２、またはその他の適切なデータ入力デバイス（プッシュ・ボタン、トグル、膜型またはその他のスイッチ等のような）は、所望の情報をマイクロプロセッサ１０に入力する機構として機能する。
また、マイクロプロセッサ１０はＵＡＲＴ１３との通信も行う。ＵＡＲＴ１３は、マイクロプロセッサ１０をコンピュータ１３Ａのような外部デバイスと接続可能にするものである。かかる実施形態では、マイクロプロセッサ１０によって提供されるデータは、必要に応じて、平均化、フォーマット変換、あるいは種々の表示または印刷オプション等のような、特定の用途のために処理することも可能である。好適な実施形態では、ＵＡＲＴ１３は、パーソナル・コンピュータでは共通して見られる、ＲＳ２３２インターフェースとして公知のものを備えるように構成されている。
また、マイクロプロセッサ１０は、特定の用途のために、必要に応じてステータス、制御またはその他の情報を表示する目的のために、ＬＣＤ１４とも通信を行う。例えば、カラー・バー、チャート、またはその他の色のグラフィック表現、あるいはその他の収集データおよび／または測定対象、即ち、歯を表示することができる。他の実施形態では、ＣＲＴ、マトリクス型ＬＥＤ、ライト、またはシステム・ステータス等の可視表示を与えるその他の機構のような、他の表示デバイスが用いられる。システムの初期化時に、例えば、システムが安定であり、色の測定を行う用意ができており、そのために使用可能であることの指示を、ＬＣＤ１４が与えることができる。
また、マイクロプロセッサ１０にはスピーカ１６も結合されている。スピーカ１６は、好適な実施形態では、以下で更に詳しく説明するが、オペレータにオーディオ・フィードバックを与えるように機能し、デバイスの使用時にオペレータを誘導するように作用することができる。また、スピーカ１６は、オーディオ・トーン、ビープ、またはシステムが初期化され、測定を行うために使用可能であることの可聴指示（即ち、音声）を含む、システムの状態をオペレータに知らせるステータスまたはその他の情報を与えるように機能することも可能である。また、スピーカ１６は、測定データ、シェード・ガイドまたは測定データに対応する基準値を示す音声情報、あるいは色／光学測定のステータスの指示を提示することも可能である。
また、マイクロプロセッサ１０は、温度センサ９からの入力も受け取る。多くのタイプのフィルタ（および恐らくは光源またはその他の構成要素も）が信頼性高く動作するのは所与の温度範囲内のみである可能性が高いので、温度センサ９は、温度情報をマイクロプロセッサ１０に提供する役割を果たす。即ち、光センサ８内に含まれ得るカラー・フィルタは、温度に感応し、ある温度範囲でのみ信頼性高く動作する場合がある。ある種の実施形態では、温度が使用可能範囲内にある場合に、マイクロプロセッサ１０は、カラー・フィルタの温度のばらつきを補償することができる。かかる実施形態では、カラー・フィルタは、フィルタの製造者によって提供されるデータによって、または温度の関数としての測定を通じて、フィルタ処理特性に関しては温度の関数として特徴付けられる。かかるフィルタ温度補償データは、メモリ内にルックアップ（参照）テーブルの形態で格納しておくことができ、あるいは多項式係数集合として格納し、これからフィルタの温度特性をマイクロプロセッサ１０が計算するようにしてもよい。
通常、（例えば、キー・パッド・スイッチ１２またはスイッチ１７を通じて）オペレータによる作動に応答するものとすることができる、マイクロプロセッサ１０の制御の下で、光は光源１１から送出され、光源光ファイバ５を通じて（更に、光ファイバ・ケーブル３、プローブ本体２およびプローブ・チップ１を通じて）、またはその他の適切な光源エレメントのいずれかを通じて、コールド・ミラー６から反射され、物体２０に向けられる。物体２０から反射された光は、プローブ・チップ１内の受光部光ファイバ／エレメントを通過し、（プローブ本体２、光ファイバ・ケーブル３、およびファイバ７を通じて）光センサ８に到達する。光センサ８が生成した情報に基づいて、マイクロプロセッサ１０は、色／光学測定結果またはその他の情報を、オペレータに提供する。マイクロプロセッサ１０が生成した色測定値またはその他のデータは、ディスプレイ１４上に表示され、ＵＡＲＴ１３を介してコンピュータ１３Ａに渡され、あるいはスピーカ１６に供給されるオーディオ情報を発生するために用いることができる。図１に示す好適な実施形態の他の動作上の特徴については、以下で説明する。
図２を参照し、プローブ・チップ１の先端にある光ファイバ構成の好適な実施形態について、これより説明する。図２に示すように、本発明の好適な実施形態は、光源光ファイバＳとして示されている、単一の中央光源光ファイバ、および受光部Ｒ１，Ｒ２およびＲ３として示されている、複数の周囲受光部光ファイバ（perimeter light receiver fiber optics）を用いる。図示のように、本発明の好適な実施形態は、３本の周囲光ファイバを用いるが、他の実施形態では、２本、４本またはその他のいずれかの数の受光部光ファイバが用いられる。更に詳しく説明するが、周囲受光部光ファイバは、色／光学測定を行う目的のために反射光を与えるだけでなく、かかる周囲ファイバは、測定対象の物体の表面に対する、プローブ・チップ１の角度および高さに関する情報を提供する機能も果たし、更に、測定対象の物体の表面特性に関する情報を提供することも可能である。
図示した好適な実施形態では、受光部光ファイバＲ１ないしＲ３は、光源光ファイバＳ周囲に対称的に配置され、互いに約１２０度の間隔がある。尚、空間ｔが受光部光ファイバＲ１ないしＲ３および光源光ファイバＳの間に設けられていることを注記しておく。ファイバ束の周囲に沿った受光部光ファイバの正確な角度配置は、通常さほど重要ではないが、１２０度ずつ離して配置された受光部光ファイバは概ね容認可能な結果を与え得ると判断されている。前述したように、ある種の実施形態では、受光部光ファイバＲ１ないしＲ３は、各々、単一のファイバから成り、これを接合コネクタ４（再度図１を参照）において分割するか、あるいは代替実施形態では、受光部光ファイバＲ１ないしＲ３は、各々、ファイバの束から成り、例えば、少なくとも１束当たり５本のファイバを数える。均一サイズの入手可能なファイバを用いる場合、例えば、７本のファイバの束が容易に作成可能であると判断されている（しかしながら、当業者には明白であろうが、ファイバの正確な数は、受光部光ファイバの所望数、製造上の考慮点等に鑑みて決定することができる）。本発明にしたがって色／光学測定を行うための受光部光ファイバＲ１ないしＲ３の使用については、更に説明するが、受光部光ファイバＲ１ないしＲ３は、例えば、測定対象物体の表面に対するプローブ・チップ１の角度が９０度であるか否かについての検出、あるいは測定対象物体の表面に、表面組織および／またはスペクトル上の不規則性が含まれていないか否かについての検出を行うように機能することができることを、ここで注記しておく。プローブ・チップ１が測定対象物体の表面に垂直であり、測定対象物体の表面が拡散反射面（即ち、「ホット・スポット」を有する場合があるスペクトル状即ち光沢状反射面と比較して、艶消し反射面）である場合、周囲ファイバに入力される光強度はほぼ等しくなければならない。また、間隔ｔは、色／光学測定を行うべき（以下で更に詳しく説明する）最適な高さを調整するように作用することも注記すべきであろう。
本発明の特定の態様の１つでは、プローブ・チップ１上の光ファイバ間の領域は、非反射性物質および／または面（黒いマット（mat）、輪郭付き面（contoured）、またはその他の非反射面とするとよい）で、完全にまたは部分的に充填される。このようにプローブ・チップ１の非反射性領域を露出させることによって、望ましくない反射を減らすことに役立ち、これによって本発明の精度および信頼性向上を図る。
図３を参照し、本発明の好適な実施形態において用いられる受光部光ファイバおよびセンサの部分的な構成について説明する。ファイバ７は、受光部光ファイバを表し、測定対象物体から反射した光を光センサ８に伝達する。好適な実施形態では、１６個のセンサ（８つから成る組が２つ）を用いるが、説明を容易にするために、図３には８本のみを示す（この好適な実施形態では、例えば、図３の回路を２系統備え、結果的に１６個のセンサを備える）。他の実施形態では、本発明にしたがって、その他の数のセンサを用いる。
ファイバ７からの光はセンサ８に与えられ、好適な実施形態では、フィルタ２２を通過して、検知（感知）エレメント２４に到達する。この好適な実施形態では、検知エレメント２４は、Texas Instrumentsが製造し、部品番号TSL230の下で販売されている、光−周波数変換器を含む。かかる変換器は、通常、フォト・ダイオード・アレイ状に構成され、ファイバ７から受光した光を積分し、入射光の強度（周波数ではない）に比例する周波数のＡＣ信号を出力する。理論的な裏付けはしないが、かかるデバイスの基本原理は、強度が増大するに連れて、積分器の出力電圧は一層早く上昇し、積分器の上昇時間が短い程、出力周波数は高くなるというものである。TSL230センサの出力は、ＴＴＬまたはＣＭＯＳ互換（コンパチブル）デジタル信号であり、種々のデジタル論理デバイスに結合することができる。
検知エレメント２４の出力は、本実施形態では、特定の検知エレメントに供給される光強度によって異なる周波数の非同期信号であり、これらをプロセッサ２６に供給する。好適な実施形態では、プロセッサ２６は、Microchip PIC16C55またはPIC16C57マイクロプロセッサであり、以下で更に詳しく説明するが、検知エレメント２４によって出力される信号の周波数を測定するアルゴリズムを実装している。他の実施形態では、HitachiのSH RISCマイクロコントローラのような、集積度を高めたマイクロプロセッサ／マイクロコントローラを用いて、システム・インテグレーション等を更に高める。
前述のように、プロセッサ２６は、検知エレメント２４から出力される信号の周波数を測定する。好適な実施形態では、プロセッサ２６は、ソフトウエア・タイミング・ループを実装し、周期的な間隔で、プロセッサ２６は、検知エレメント２４の出力の状態を読み込む。ソフトウエア・タイミング・ループを１回通過する毎に、内部カウンタを増分する。タイミング・ループの精度は、通常、プロセッサ２６に結合された水晶発振器タイム・ベース（図３には示されていない）によって決定される（このような発振器は非常に安定である）。検出エレメント２４の出力を読み込んだ後、プロセッサ２６は最後に読み込んだデータ（好適な実施形態では、かかるデータは、バイト長単位で読み込まれる）と排他的ＯＲ（「ＸＯＲ」）演算を実行する。いずれかのビットが変化した場合、ＸＯＲ演算は１を生成し、ビットが変化しなかった場合、ＸＯＲ演算は０を生成する。結果が非ゼロの場合、入力バイトを、内部カウンタ（ソフトウエア・タイミング・ループを通過する毎に増分される）の値と共にセーブする。結果がゼロの場合、システムは、データがセーブされる場合に必要な同じ時間量だけ待ち（例えば、無動作命令を実行する）、ループ動作を継続する。８つの入力全てが少なくとも２回変化し、各入力の全１／２期間の測定が可能になるまで、このプロセスは継続する。ループ・プロセスの完了時に、プロセッサ２６は、格納されている入力バイトおよび内部カウンタの状態を分析する。２ないし１６個のセーブされた入力（図３の８つのセンサ全てに対して）およびカウンタ状態（２つ以上の入力が同時に変化した場合、これらは同時にセーブされる）があるはずである。当業者には理解されようが、内部カウンタの格納値は、検知エレメント２４から受け取った信号の期間を決定する情報を含む。入力ビットが変化した時点において内部カウンタの値を適正に減算することによって、この期間を計算することができる。このように、検知エレメントの各出力について計算された期間は、プロセッサ２６によってマイクロプロセッサ１０（例えば、図１を参照）に供給される。このように計算された期間から、受光光強度の測定値を計算することができる。
図３に示す検知回路および方法論は、検知エレメント２４が受光した光の強度を測定するための実用的かつ便利な方法を提供するように決定されたものであることを注記しておく。別の実施形態では、他の回路および方法論が用いられる（他の検出方式の例は、後述する）。
図１を参照しながら前述したように、ファイバ７の内１本は光源１１を測定する。これは中性濃度フィルタを通り、受けた光の強度を減少するように機能し、他に受けた光の強度の範囲内に強度を大まかに維持する。ファイバ７の内３本も、周囲受光部光ファイバＲ１ないしＲ３（例えば、図２参照）からのものであり、これらも中性濃度フィルタを通してもよい。かかる受光ファイバ７は、角度／高さ情報および／または表面特性を決定し得るデータを提供するように機能する。
ファイバ７の残りの１２本のファイバ（好適な実施形態の合計１６本のファイバの内）は、カラー・フィルタを通過し、色の測定値を求めるために用いられる。好適な実施形態では、カラー・フィルタは、Kodak Sharp Cutting Wratten Gelatin Filtersであり、当該フィルタのカットオフ値よりも大きな波長（即ち、赤み値（redish values））を有する光を通過させ、フィルタのカットオフ値よりも小さな波長（即ち、青み値（bluish values））を有する光を吸収する。”Sharp Cutting”フィルタは、様々なカットオフ周波数／波長において入手可能であり、カットオフ値は、所望のカットオフ・フィルタの適正な選択によって、概ね選択することができる。好適な実施形態では、フィルタのカットオフ値は、可視スペクトル全体をカバーするように選択され、通常、受光部／フィルタの数で可視帯範囲（またはその他の所望の範囲）を除算した値程度の帯域間隔を有するように選択する。一例として、７００ナノメートルから４００ナノメートルを減算し、１１帯域（１２の色受光部／センサによって生成される）で除算し、概ね３０ナノメートルの帯域間隔が得られる。
理論またはここに記載する特定の実施形態にはとらわれずに、上述のようなカットオフ・フィルタのアレイを用いて、「隣接する」カラー受光部の光強度を減算することによって、受光した光スペクトルの測定／計算を行うことができる。例えば、帯域１（４００ｎｍないし４３０ｎｍ）＝（受光部１２の強度）−（受光部１１の強度）となり、残りの帯域についても同様である。かかるカットオフ・フィルタのアレイ、およびかかるアレイを用いたフィルタ処理から得られる強度値については、図１３Ａないし図１４Ｂとの関連において更に詳しく説明することにする。
ここで、代替実施形態では、他のカラー・フィルタ構成を用いることを注記しておくべきであろう。例えば、Schottガラス・タイプ・フィルタ（別個のロングパス／ショートパス・フィルタによって構築されたもの、またはそれ以外のもの）を用いて製作（develop）可能な、「ノッチ」フィルタ即ちバンドパス・フィルタを用いることができる。
本発明の好適な実施形態では、光源、フィルタ、センサおよび光ファイバ等の具体的な特性は、公知の色標準にプローブを向け、これを測定することによって、正規化／較正する。かかる正規化／較正は、プローブを適切な固定具に配置し、プローブを所定の位置（即ち高さおよび角度）から方向付けることによって、公知の色標準から行うことができる。このようにして測定した正規化／較正データは、例えば、参照テーブルに格納し、マイクロプロセッサ１０が用いて、測定色データまたはその他のデータの正規化または補正を行うことができる。かかる手順は、起動時に実行したり、規則的な周期間隔で実行したり、オペレータのコマンドで実行することができる。
これまでの説明から気付くべきことは、図３における受光部光ファイバおよび検知光ファイバならびに回路は、測定対象物体の表面から反射する光の強度を測定することによって、色を判定する実用的かつ便利な方法を提供するということである。
また、かかるシステムは、物体からの反射光のスペクトル帯を測定し、一旦かかるスペクトル・データを測定したなら、種々の方法で利用可能であることにも気付くべきであろう。例えば、かかるスペクトル・データは、直接、強度−波長帯域値として直接表示することができる。加えて、三刺激型の値は、容易に計算可能であり（例えば、従来のマトリクス解析）、他のいずれの所望の色値も同様である。歯科の用途（義歯のような）において有用な特定の実施形態では、色データは、歯科シェード・ガイド値（複数の値）に最も近い一致、または複数の一致の形態で出力される。好適な実施形態では、種々の既存のシェード・ガイド（Vita Zahnfabrikが生産するシェード・ガイドのような）を特徴化し参照テーブルに格納する。あるいは、グラフィック・アート業界では、Pantone色基準、および色測定データを用いて、最も近いシェード・ガイド値または複数の最も近いシェード・ガイド値を選択する。これは、信頼度、あるいは、一致または複数の一致の接近度を示す他の適切な係数によって達成することができる。このような係数には、例えば、ΔＥ値またはΔＥ値の範囲と知られているもの、または標準偏差最小化（standard deviation minimization）のような標準偏差に基づく基準が含まれる。更に他の実施形態では、色測定データを用いて（参照テーブルによる等）、義歯等のための塗料またはセラミクスの調合のための材料を選択する。本発明にしたがって測定されたかかるスペクトル・データには、他にも多くの使用法がある。
人の歯のようなある種の物体は、蛍光を発する可能性があることが知られており、かかる光学特性も、本発明にしたがって測定可能である。紫外線成分を有する光源を用いて、かかる物体に対して一層精度を高めた色／光学データを生成することができる。ある種の実施形態では、タングステン／ハロゲン光源（好適な実施形態において用いられているような）を、ＵＶ光源（水銀蒸気、キセノンまたはその他の蛍光光源等のような）と組み合わせ、物体に蛍光を発生させることができる光出力を生成可能である。あるいは、別個のＵＶ光源を、可視光遮断フィルタと組み合わせて使用し、物体を照明してもよい。かかるＵＶ光源は、赤色ＬＥＤ（例えば）からの光と組み合わせ、ＵＶ光がオンのときを視覚的に示したり、かかる光源と共に操作するプローブの方向上の位置決めの補助として機能することができる。先に説明したのと類似した方法で、ＵＶ光源を用いて、第２の測定を行うことができる。赤色ＬＥＤまたはそのほかの補助光源の帯域は無視する。このように、第２の測定を用いて、歯またはその他の測定対象物体の蛍光の指示を得ることができる。かかるＵＶ光源を用いる場合、光を物体に伝達するためには、シリカの光ファイバ（またはその他の適切な材料）が、典型的に必要となる（ガラスやプラスチックのような標準的な光ファイバ材料は、一般的に、望むようにはＵＶ光を伝搬させない）。
先に述べたように、ある種の好適な実施形態では、本発明は、中央の光源光ファイバから離間し、この周囲に配した複数の周囲受光部光ファイバを用いて、測定対象物体の表面の色を測定し、更に当該表面に対するプローブの高さおよび角度に関する情報を判定する。この情報は、他の表面特性情報等も含むことができる。理論的な裏付けはしないが、本発明のこの態様の基礎となるある種の原理について、図４Ａないし図４Ｃを参照しながら、これより説明する。
図４Ａは、コアおよびクラッディング（cladding）から成り、屈折率が段階的に変化する典型的な光ファイバ（step index fiber optic）を示す。この検討のために、コアの屈折率をｎ0とし、クラッディングの屈折率をｎ1とする。以下の検討は「屈折率が段階的に変化する」光ファイバを対象とするが、かかる検討は、一般的に、屈折率が徐々に変化するファイバ（gradient index fiber）にも同様に適用可能であることは、当業者には認められよう。
損失なく光を伝搬するためには、光は、臨界角度よりも大きな角度で、光ファイバのコアに入射しなければならない。臨界角は、Ｓｉｎ-1｛ｎ1／ｎ0｝で表すことができ、ここでｎ0はコアの屈折率、およびｎ1はクラッディングの屈折率である。したがって、全ての光は、ｐｈｉ（ファイ）以下の受入角度（acceptance angle）でファイバに入射しなければならず、ｐｈｉ＝２ｘＳｉｎ-1｛√（ｎ02−ｎ12）｝で表される。さもなければ、光は所望通りには伝搬されない。
光ファイバに入射する光について、これは受入角度ｐｈｉの範囲内で入射しなければならない。同様に、光が光ファイバから射出する場合、図４のＡに示すような角度ｐｈｉの円錐の範囲内で、光ファイバから射出する。値√（ｎ02−ｎ12）を、光ファイバのアパーチャと呼ぶ。例えば、典型的な光ファイバは、０．５のアパーチャ、および６０°の受入角度を有する。
光ファイバを光源として使用する場合を考える。一端を光源（図１の光源１１のような）で照明し、他端を表面近くに保持する。光ファイバは、図４のＡに示すような円錐状の光を放出する。光ファイバが表面に対して垂直に保持されている場合、表面上に円形の光パターンを形成する。光ファイバを持ち上げるに連れて、円の半径ｒは大きくなる。光ファイバを下げるに連れて、光パターンの半径は小さくなる。したがって、照明される円形領域における光強度（単位面積当たりの光エネルギ）は、光ファイバを下げる程大きくなり、光ファイバを持ち上げるに連れて小さくなる。
同じ原理は、概略的に、受光部として用いられる光ファイバにも当てはまる。光ファイバの一端に光センサを取り付け、他端を照明面付近に保持することを考える。この光ファイバに入射する光が、表面付近の光ファイバの端部に入射するときに、光ファイバが損失なく光を伝搬できるのは、光が受入角度ｐｈｉの範囲内で光ファイバに入射する場合のみである。表面付近において受光部として用いられる光ファイバは、表面上の半径ｒの円形領域からの光のみを受け入れ、伝搬する。光ファイバを表面から持ち上げるに連れて、この領域は大きくなる。光ファイバを下げるに連れて、この領域は小さくなる。
図４Ｂに示すように、互いに平行な２本の光ファイバを考える。説明の簡略化のために、図示の２本の光ファイバは、サイズおよびアパーチャが同一とする。しかしながら、以下の説明は、一般的に、サイズやアパーチャが異なる光ファイバにも適用可能である。一方の光ファイバを光源光ファイバとし、他方の光ファイバを受光部光ファイバとする。２本の光ファイバは表面に対して垂直に保持されているので、光源光ファイバは、半径ｒの円形領域を照明する円錐形の光を放出する。受光部光ファイバは、受入角度ｐｈｉの範囲内の光、即ち、角度ｐｈｉの円錐の範囲内で受光される光のみを受け入れる。得られる唯一の光が光源光ファイバによって放出されたものである場合、受光部光ファイバが受け入れ得る唯一の光は、図４Ｃに示すように、２つの円の交差部分において表面に当たる光である。２本の光ファイバが表面から持ち上げられるに連れて、光源光ファイバの円形領域に対する２つの円形領域の交差部分の割合は大きくなる。これらが表面に近づくに連れて、光源光ファイバの円形領域に対する２つの円形領域の交差部分の割合は小さくなる。光ファイバを表面に近づけ過ぎると、円形領域はもはや交差せず、光源光ファイバから放出される光は、受光部光ファイバによって受光されなくなる。
前述したように、光源ファイバによって照明される円形領域における光の強度は、ファイバを表面に向かって下げるに連れて増大する。しかしながら、２つの円錐の交差部分は、光ファイバ対を下げるに連れて狭くなる。したがって、光ファイバ対を表面に向かって下げるに連れて、受光部光ファイバによって受光される光の総強度は、最大値に増大し、次いで光ファイバ対を更に表面に向かって下げていくと、強度は急激に低下する。結果的に、強度はほぼゼロに低下し（測定対象物体は半透明でないと仮定する。以下で更に詳しく説明する）、光ファイバ対が表面に接するまで、ほぼゼロのままとなる。したがって、上述のような光ファイバの光源−受光部対を表面付近に配置し、それらの高さを変化させると、受光部光ファイバが受光する光の強度は、ピーク即ち「臨界高さ」ｈcにおいて、最大値に達する。
再び、理論的な裏付けはしないが、臨界高さｈcの興味深い特性が観察されている。臨界高さｈcは、主に、ファイバのアパーチャ、ファイバの直径およびファイバの間隔のような、固定パラメータの幾何学的形状の関数である。図示の構成における受光部光ファイバは、最大値のみを検出し、その値の量を判定しようとしないので、その最大値は一般的に表面特性とは無関係である。光源および受光部光ファイバの交差領域からの光を、表面が十分に反射し、受光部光ファイバの光センサの検出範囲内に達するようにすればよい。したがって、通常、赤または緑または青、あるいはいずれの色の表面でも、全て同じ臨界高さｈcにおいて最大値を示す。同様に、滑らかな反射面および粗い反射面も、最大値における強度値は変動するが、一般的に言えば、かかる表面は全て、同じ臨界高さｈcにおいて、最大値を示す。光強度の実際の値は、表面の色、および表面特性の関数となろうが、最大強度値が得られる高さは、一般的に、そうはならない。これは、特に、歯、工業的物体等のような同様のタイプまたは分類の物質に関してあてはまることである。
これまでの説明は、表面に対して垂直な２本の光ファイバに照準を当てたが、同様の分析は、他の角度をなす光ファイバ対にも適用可能である。光ファイバが表面に対して垂直でない場合、通常楕円領域を照明する。同様に、受光部光ファイバの受入領域も、通常楕円形となる。光ファイバ対を表面に近づくように移動させると、受光部光ファイバも、表面の色あるいは特性とは無関係に、臨界高さにおいて最大値を検出する。しかしながら、光ファイバ対が表面に対して垂直でない場合に測定される最大強度値は、光ファイバ対が表面に対して垂直な場合に測定される最大強度値より小さくなる。
次に図５Ａおよび図５Ｂを参照し、光ファイバ光源−受光部対を表面に近づけるようにおよび遠ざけるように移動させた場合に受ける光の強度について説明する。図５Ａは、受けた光の強度を時間の関数として示す。対応する図５Ｂは、測定対象物体の表面からの光ファイバ対の高さを示す。図５Ａおよび図５Ｂは、（説明を容易にするために）測定対象物体の表面に対して光ファイバ対を近づける移動および遠ざける移動を、比較的均一な速度にした場合を示す（しかしながら、同様の図示および分析は、速度が均一でない場合にも同様に適用可能である）。
図５Ａは、光ファイバ対を表面に近づけ次いで表面から遠ざけるように移動させた場合に受けた光の強度を示す。図５Ａは、単一の受光部光ファイバについての強度関係を示すが、同様の強度関係は、例えば、図１および図２の多数の受光部光ファイバのような、他の受光部光ファイバについても観察されることが予測される。上述の好適な実施形態では、（ファイバ７の）１５本の光ファイバ受光部は、全体的に、図５Ａに示すものと同様の曲線を示すであろう。
図５Ａは、５箇所の領域を示す。領域１では、プローブを測定対象物体の表面に向かって移動させ、これによって、受光強度が増大する。領域２では、臨界高さを超えてプローブを移動させ、受光強度はピークに達し、次いで急激に低下する。領域３では、プローブは測定対象物体の表面とほぼ接触状態にある。図示のように、領域３における受光強度は、測定対象物体の半透明性に応じて変動する。物体が不透明である場合、受光強度は非常に低いか、あるいは殆どゼロである（恐らく、検知回路の範囲外）。しかしながら、物体が半透明である場合、光強度は非常に高いが、通常ピーク値未満である。領域４では、プローブが持ち上げられ、光強度は急速に最大値に上昇する。領域５では、プローブを更に物体から遠ざけるように持ち上げ、光強度は再び低下する。
図示のように、光ファイバ対が臨界高さｈcにある物体に向かうようにおよびこれから離れるように移動すると、２つのピーク強度値（以下では、Ｐ１およびＰ２として論ずる）が検出されることになる。受光部光ファイバによって得られるピークＰ１およびＰ２が同一値である場合、これは、通常、プローブが、測定対象物体の表面に向かって、更にこれから離れるように、一貫的に移動したことを示す。ピークＰ１およびＰ２が異なる値である場合、これらは、プローブの移動が、測定対象物体の表面に向かって更にこれから離れるように、望んだようにはならなかったことを示す場合がある。あるいは、表面が湾曲しているか、あるいは表面に織り模様があることを示す。これについては、以下で更に詳しく説明する。かかる場合、データは疑わしいと考えられ、拒絶することが可能である。加えて、周囲光ファイバ（例えば、図２を参照）の各々に対するピークＰ１およびＰ２は、同じ臨界高さで発生しなければならない（アパーチャ、直径、および光源光ファイバからの間隔等のような、周囲光ファイバの幾何学的属性を想定する）。したがって、測定対象物体の表面に向かって、更にこれから離れるように、一貫性を保って垂直に移動するプローブの周囲光ファイバは、同じ臨界高さにおいて発生するピークＰ１およびＰ２を有さなけれならない。周囲受光部光ファイバから受光ファイバを監視し、同時の（またはほぼ同時の、例えば、所定の範囲内の）ピークＰ１およびＰ２を探すことによって、測定対象物体に対して所望の垂直角度に、プローブが保持されているか否かについて判定を行う機構が得られる。
加えて、領域３における相対的強度レベルは、測定対象物体の半透明性のレベルの指示として機能する。この場合も、かかる原理は概してプローブ（例えば、図１および図３のファイバ７を参照）内の受光部光ファイバ全てに適用可能である。かかる原理に基づいて、本発明による測定技法についてこれより説明する。
図６は、本発明による測定技法を示すフロー・チャートである。ステップ４９は、色／光学測定の開始即ち始まりを示す。ステップ４９の間、あらゆる機器の初期化、診断または設定手順を実行することができる。音響または視覚情報あるいはその他の指示をオペレータに与え、システムが使用可能であり、測定する用意ができていることをオペレータに知らせる。色／光学測定の起動は、オペレータがプローブを測定対象物体に向けて移動させることによって開始し、例えば、スイッチ１７（図１参照）の作動によって行われる。
ステップ５０において、システムは連続的に、受光部光ファイバ（例えば図１のファイバ７を参照）の強度レベルを監視する。強度が上昇している場合、ピークが検出されるまで、ステップ５０を繰り返す。ピークが検出されたなら、プロセスはステップ５２に進む。ステップ５２において、測定ピーク強度Ｐ１、およびかかるピークが発生した時刻を、（マイクロプロセッサ１０の一部として含まれるメモリのような）メモリに格納し、プロセスはステップ５４に進む。ステップ５４において、システムは、受光部光ファイバの強度レベルを監視し続ける。強度が低下している場合、ステップ５４を繰り返す。「谷」または平坦部（plateau）が検出された場合（即ち、強度がもはや低下しておらず、通常、物体との接触または殆ど接触していることを示す場合）、プロセスはステップ５６に進む。ステップ５６において、測定表面強度（ＩＳ）をメモリに格納し、プロセスはステップ５８に進む。ステップ５８において、システムは受信ファイバの強度レベルを監視し続ける。強度が上昇している場合、ピーク値を検出するまで、ステップ５８を繰り返す。ピークが検出された場合、プロセスはステップ６０に進む。ステップ６０において、測定ピーク強度Ｐ２、およびかかるピークが発生した時刻をメモリに格納し、プロセスはステップ６２に進む。ステップ６２において、システムは、受光部光ファイバの強度レベルを監視し続ける。一旦受光強度レベルがピークＰ２から低下し始めたなら、システムは、領域５に入った（例えば、図５のＡ参照）ことを認め、プロセスはステップ６４に進む。
ステップ６４において、システムは、マイクロプロセッサ１０の制御の下で、種々の受光部光ファイバについて、検知回路によって得た収集データを分析する。ステップ６４において、１本以上の様々な光ファイバのピークＰ１およびＰ２を比較してもよい。様々な光ファイバのいずれかに対するピークＰ１およびＰ２のいずれかが等しくないピーク値を有する場合、データを破棄し、色測定プロセス全体を繰り返せばよい。この場合も、ピークＰ１およびＰ２の値が等しくないことは、例えば、プローブを垂直に移動させなかったか、あるいは不安定に移動させた（即ち、角度のある移動または横方向の移動）ことを示す。例えば、ピークＰ１は物体上の第１点を表し、ピークＰ２は物体上の第２点を表すことができる。データが疑わしいので、本発明の好適な実施形態では、かかる状況において得たデータをステップ６４において破棄する。
ステップ６４においてデータを破棄しない場合、プロセスはステップ６６に進む。ステップ６６において、システムは、周囲光ファイバ（例えば、図２のＲ１ないしＲ３）の各々からの、中性濃度フィルタを介した受光部によって得られたデータを分析する。周囲光ファイバのピークが同じ時点において、あるいはその周囲において発生しなかった場合、これは、例えば、プローブが測定対象物体の表面に垂直に保持されていなかったことを示す可能性がある。プローブを測定対象物体の表面に対して垂直に位置合わせしないと、疑わしい結果が得られるので、本発明の好適な実施形態では、かかる状況において得られたデータをステップ６６において破棄する。垂直な位置合わせは、通常、周囲光ファイバの同時またはほぼ同時のピークによって示されるので、好適な一実施形態では、同時またはほぼ同時のピーク発生（所定の時間範囲内のピーキング）は、データに対して容認可能な評価基準として機能する。他の実施形態では、ステップ６６は、周囲光ファイバのピーク値Ｐ１およびＰ２の分析を含む。かかる実施形態では、システムは、周囲光ファイバのピーク値（恐らく、いずれかの初期較正データで正規化されている）が、規定範囲内に等しいか否かについて判定しようとする。周囲光ファイバのピーク値が規定範囲内にある場合、データは容認可能であり、ない場合、データを破棄することができる。更に他の実施形態では、同時ピーキングおよび等しい値の検出の組み合わせを、データに対する容認／拒絶評価基準として用い、および／またはオペレータが、（キー・パッド・スイッチ１２を通じてというように）１つ以上の容認評価基準範囲を制御できるようにしてもよい。かかる機能を備えると、システムの感度は、特定用途および動作環境等に応じて、オペレータによって制御可能に変化させることができるようになる。
ステップ６６においてデータを破棄しない場合、プロセスはステップ６８に進む。ステップ６８において、色データを所望通りに処理し、出力色／光学測定データを得ることができる。例えば、かかるデータは、いずれかの方法で正規化したり、温度補償またはシステムによって検出される他のデータに基づいて調節してもよい。また、データは、データを使用する目的に応じて、異なる表示フォーマットまたはその他のフォーマットに変換してもよい。加えて、物体の半透明性を示すデータの評価および／または表示も、ステップ６８において行うことができる。ステップ６８の後、プロセスは開始ステップ４９に進むか、またはプロセスは終了する等とすることができる。
図６に示すプロセスにしたがって、受光部光ファイバ当たり３つの光強度値（Ｐ１，Ｐ２およびＩＳ）を格納し、色および半透明性などの測定を行う。格納ピーク値Ｐ１およびＰ２が等しくない場合（受光部のいくつかまたは全てについて）、これは、プローブが一領域全体にわたって固定保持されていなかったことの指示であり、データを破棄すればよい（他の実施形態では、データを破棄しなくてもよく、得られたデータは、測定データの平均を求めるために使用することができる）。加えて、３つの中性濃度周囲光ファイバに対するピーク値Ｐ１およびＰ２は、等しいかほぼ等しくなければならない。こうならない場合、これは、プローブが垂直に保持されていなかったこと、または湾曲面を測定していることの指示である。他の実施形態では、システムは曲面および／または非垂直角に対する補償を行おうとする。いずれの場合にしても、システムが色／光学測定を行うことができない場合、またはピーク値Ｐ１およびＰ２が容認可能な程度で等しくないためにデータを破棄する場合、オペレータに通知し、他の測定または（感度の調節のような）別の処置を取るようにすればよい。
上述のように構築され動作するシステムでは、受け入れられたデータは、高さおよび角度依存性が除去されており、物体の色／光学測定を行うことができる。臨界高さで得たのではないデータ、または測定対象物体の表面に垂直なプローブを用いて得たのではないデータ等は、本発明の好適な実施形態では破棄される。他の実施形態では、周囲光ファイバから受け取ったデータは、測定対象物体の表面に対する、プローブの角度を測定する際に用いることができ、かかる実施形態では、非垂直データまたは湾曲面データは、破棄される代わりに、補償することができる。また、中性濃度周囲光ファイバに対するピーク値Ｐ１およびＰ２は、測定対象物体の表面の輝度（グレー値）の尺度を与え、色値の評価に供し得ることも注記すべきであろう。
測定対象物体の半透明性は、例えば、（ＩＳ／Ｐ１）ｘ１００％のような比率または百分率として評価することができる。他の実施形態では、本発明にしたがって与えられる半透明性データを評価する他の方法が用いられ、ＩＳおよびＰ１またはＰ２を用いる他の算術関数等がある。
本発明の別の特定形態では、本発明にしたがって発生したデータは、自動化材料混成／発生機械（automated material mixing/generation machine）を実施するために用いることができる。義歯のようなある種の物体／物質は、ポーセレン（磁器：porcelain）または粉体／材料から作られ、正確な比率で組み合わせて、物体／義歯の所望の色を形成する。ある種の粉体はしばしば色素を含み、これは、通常、Beerの法則に従うか、および／またはKubelka-Munkの式および／または配合において混合された場合は、（必要であれば）Saundersonの式にしたがって作用する。本発明による測定から得られた色およびその他のデータは、配合に対する色素またはその他の材料の所望量を判定したり、あるいは推定するために用いることができる。ポーセレン粉体およびその他の材料は、異なる色、不透明性等で得ることができる。義歯のようなある種の物体は、積層構造として、所望の物体の半透明性の度合いを模擬する場合がある（人の歯を模擬するというようなもの）。本発明によって発生されたデータは、ポーセレンまたはその他の材料の層の厚さおよび位置を判定し、所望の色、半透明性、表面特性等を、一層類似させて生産するために使用することができる。加えて、所望の物体に対する蛍光データに基づいて、材料の配合を調節し、所望量の蛍光発生材料を含ませることもできる。更に他の実施形態では、表面特性（織り模様のような）情報（以下で更に詳しく説明する）を用いて、配合に表面模様を付ける材料を加えることもでき、これらは全て、本発明にしたがって実施可能である。
かかる染料配合型技術に関する更なる情報については、以下の文献を参照するとよい。HunterおよびHaroldによって編集された”The Measurement of Appearance”第２版、著作権１９８７年。BillmeyerおよびSaltzmanによる”Principles of Color Technology”、著作権１９８１年、およびLewisによって編集された”Pigment Handbook”、著作権１９８８年。これらは全て、NY，New YorkのJohn Wiley & Sons，Inc.によって出版されたと思われ、その全ては、この言及により、本願にも含まれるものとする。
ある種の動作環境においては、歯科学における用途のように、プローブの汚染が関心事となる。本発明のある種の実施形態では、かかる汚染の減少を図った実施を提供する。
図７Ａおよび図７Ｂは、プローブ・チップ１の端部に覆い被せるために使用可能な保護用キャップを示す。かかる保護用キャップは、本体８０から成り、その端部は光窓８２で覆われている。光窓８２は、好適な実施形態では、薄いサファイア窓を有する構造から成る。好適な実施形態では、本体８０はステンレス鋼で作られている。本体８０はプローブ・チップ１の端部に覆い被さり、例えば、本体８０内に形成された陥凹によって適所に配する。陥凹は、プローブ・チップ１上に形成されたリブ８４（スプリング・クリップまたはその他のリテイナとすればよい）と嵌合する。他の実施形態では、かかる保護用キャップをプローブ・チップ１に取りつける他の方法が用いられる。保護用キャップは、プローブ・チップ１から取り外し、典型的な圧力釜、高温スチーム、ケミクレーブ（chemiclave）またはその他の滅菌システムにおいて滅菌することができる。
サファイア窓の厚さは、プローブの臨界高さ未満とし、本発明によるピーク検出する機能を保存すべきであり、好ましくは、光源／受光円錐が重複する（図４Ｂおよび図４Ｃ参照）最小高さ未満の厚さを有する。また、サファイア窓は、再生可能に製造し、こうしてキャップ毎のあらゆる光減衰を再現可能とすることも考えられる。加えて、サファイア窓によって生じる色／光学測定のあらゆる歪みも、マイクロプロセッサ１０によって較正することができる。
同様に、他の実施形態では、本体８０は、中央に孔のあるキャップ（サファイア窓とは異なり）を有し、この孔を光ファイバ光源／受光部上に配置する。孔のあるキャップは、プローブが表面に接触するのを防止するように作用し、これによって、汚染の危険性を低下させる。尚、かかる実施形態では、プローブ・チップの光源／受光エレメントから／への光が、キャップによる悪影響を受けないように、孔を位置付けることを注記しておく。
図８Ａおよび図８Ｂは、本発明にしたがって汚染の減少を図るために使用可能な、着脱可能（自在）プローブ・チップの別の実施形態を示す。図８のＡに示すように、プローブ・チップ８８は着脱自在であり、４つの（あるいは、用途に応じて異なる数の）光ファイバ・コネクタ９０を含み、これらを、コネクタ９４に結合された光防護物（光学ガード）９２内に配置する。光防護物９２は、隣接する光ファイバ間の「クロス・トーク」を防止するように作用する。図８のＢに示すように、この実施形態では、着脱自在のチップ８８は、スプリング・クリップ９６によって、プローブ・チップ・ハウジング９３内に固着される（他の実施形態では、他の着脱自在に保持する実施態様も用いられる）。プローブ・チップ・ハウジング９３は、螺子または他の従来からの取り付け具によって、ベース・コネクタ９５に固着することができる。この実施形態では、異なるサイズのチップを異なる用途のために用意したり、更にこのプロセスの初期段階では、特定用途のために適正なサイズのもの（即ち、嵌合チップ（fitted tip））を実装してもよいことを注記しておく。また、着脱自在のチップ８８も、典型的な圧力釜、高温スチーム、ケミクレーブ（chemiclave）またはその他の滅菌システムにおいて滅菌するか、あるいは使い捨てとすればよい。加えて、プローブ・チップ構造体全体は、洗浄または修理のために容易に分解できるように構成する。ある種の実施形態では、着脱自在のチップの光源／受光エレメントは、ガラス、シリカまたは同様の材料で作成することによって、圧力釜または同様の高温／圧力洗浄方法に特に適したものとする。ある種の他の実施形態では、着脱自在のチップの光源／受光エレメントは、コストが低いプラスチックまたはその他の同様の材料で作成し、使い捨て型の着脱自在のチップ等に特に適したものとする。
更に他の実施形態では、プラスチック、紙またはその他のタイプのシールド（使い捨て、洗浄可能／再利用可能等とすることができる）を用い、特定の用途において存在し得る、あらゆる汚染問題に対処できるようにする。かかる実施形態では、その方法論は、色／光学測定を行う前に、かかるシールドをプローブ・チップ上方に位置付けることを含むとよく、更に、色／光学測定を行った後に、シールドを取り外し、廃棄／洗浄すること等も含むとよい。
図９を参照して、本発明の三刺激の実施形態について、これより説明する。総じて、図１に示し前述したシステム全体は、この実施形態でも使用可能である。図９は、この実施形態に用いられるプローブ・チップの光ファイバの断面図を示す。
プローブ・チップ１００は、３本の周囲受光部光ファイバ１０４および３本の色受光部光ファイバ１０２によって包囲された（そしてこれらから離間された）中央光源光ファイバ１０６を含む。３本の周囲受光部光ファイバ１０４は、光学的に、中性濃度フィルタに結合され、上述の実施形態と同様に、高さ／角度センサとして機能する。３本の色受光部光ファイバは、光学的に、赤色、緑色および青色フィルタのような適切な三刺激フィルタに結合する。この実施形態では、測定は、物体の三刺激色値によって行い、図６を参照しながら説明したプロセスが、全体的にこの実施形態にも適用可能である。即ち、周囲光ファイバ１０４を用いて、同時ピークを検出するか、あるいはプローブが測定対象物体に対して垂直か否かの検出を行うことができる。加えて、臨界高さにおいて色測定データを得ることも、この実施形態で使用可能である。
図１０Ａは、図９を参照しながら説明した実施形態に類似した、本発明の実施形態を示す。プローブ・チップ１００は、３本の受光部光ファイバ１０４、および複数の色受光部光ファイバ１０２によって囲まれた（そしてこれらから離間された）中央光源光ファイバ１０６を含む。色受光部光ファイバ１０２の本数、およびかかる受光部光ファイバ１０２に関連するフィルタは、特定の用途に基づいて選択すればよい。図９の実施形態におけると同様、図６を参照しながら説明したプロセスが、全体的にこの実施形態に適用可能である。
図１０Ｂは、中央光源光ファイバ２４０を包囲する、複数の受光部光ファイバがある、本発明の実施形態を示す。受光部光ファイバは、環状に配列され、中央光源光ファイバを包囲している。図１０Ｂは、受光部光ファイバのリング３つ（それぞれ光ファイバ２４２，２４４および２４６によって構成される）を示し、リング当たり６本の受光部光ファイバがある。リングは、図示のように、連続的に大きな円として構成し、プローブの端部の領域全体を覆うようにすればよく、所与のリング内における各受光部光ファイバから中央光ファイバまでの距離は、等しくなっている（あるいはほぼ等しくなっている）。中央光ファイバ２４０は、光源光ファイバとして使用され、図１に示した光源光ファイバ５と同様に、光源に接続されている。
複数の受光部光ファイバは、各々が、接合コネクタ４について図１に示した構成と同様に、２本以上の光ファイバに結合されている。各受光部光ファイバに対する、かかる接合コネクタからの１本の光ファイバは、中性濃度フィルタを通過し、次いで、図３に示した光センサ回路と同様の光センサ回路に達する。受光部光ファイバ毎の接合コネクタからの第２の光ファイバは、Sharp Cutting Wrattan Gelatin Filterを通過し、次いで、前述したような光センサ回路に達する。このように、プローブ・チップ内の受光部光ファイバの各々は、色測定エレメントおよび中性光測定即ち「周囲」エレメントの双方を含む。
図１０Ｄは、平坦な拡散面２７２上の領域を照明するプローブ２６０（上述のような）の幾何学的配置を示す。プローブ２６０は、光パターン２６２を形成し、これは表面２７２から均一な半球パターン２７０に拡散的に反射される。かかる反射パターンでは、この明細書で先に説明したように、プローブが表面に垂直であれば、プローブ内の受光エレメントに入射する反射光は、全てのエレメントに対して等しく（ほぼ等しく）なる。
図１０Ｃは、粗い面２６８、即ち、光を分光的に反射する面を照明するプローブを示す。分光反射光は、ホット・スポット、即ち、反射光の強度が、他の領域２６４よりもかなり高い領域２６６を示す。反射光パターンは、図１０Ｄに示した平坦面と比較すると、斑がある。
図１０Ｂに示したプローブは、大きな表面領域全体に配列された複数の受光部光ファイバを有するので、プローブを用いて、表面の織り模様を判定するために使用したり、この明細書で先に説明したように、表面の色および半透明性等を測定することができる。受光部光ファイバが受けた光の強度が、受光部光ファイバの所与のリング内の全ての光ファイバについて等しい場合、概ね、その表面は拡散性であり、滑らかである。しかしながら、あるリング内の受光ファイバの光強度が互いに対して異なる場合、その表面は概ね粗く分光状である。所与のリング内、およびリング毎の受光部光ファイバ内において測定した光強度を比較することにより、表面の織り模様やその他の特性を評価することができる。
図１１は、光センサ８（およびフィルタ２２等）の代わりにリニア光センサおよび色傾斜（gradient）フィルタを用いた、本発明の実施形態を示す。受光部光ファイバ７は、図１の実施形態の場合と同様にプローブ・チップ１に光学的に結合することができ、色傾斜フィルタ１１０を介して、リニア光センサ１１２に光学的に結合されている。この実施形態では、色傾斜フィルタ１１０は、透明なまたは開放基板（open substrate）上の一連の狭いストリップ状のカットオフ型フィルタから成るものとすることができ、リニア光センサ１１２のセンサ領域と位置的に対応するような構造とする。商業的に入手可能な直線光センサ１１２の一例は、Texas Instrumentsの部品番号TSL213であり、これは６１個のフォト・ダイオードを直線アレイ状に有する。受光部光ファイバ７は、対応して、リニア光センサ１１２上に、直線上に配列されている。受光部光ファイバの本数は、色傾斜フィルタ１１０の全長をほぼ均一に覆うのに十分な本数が含まれている限りは、特定の用途毎に選択することができる。この実施形態では、光は、受光部光ファイバ７によって受光され出力され、リニア光センサ１１２によって受光された光は、（光強度、フィルタ特性および所望の精度によって決定される）短い時間期間にわたり積分される。直線アレイ・センサ１１２の出力は、ＡＤＣ１１４によってデジタル化され、マイクロプロセッサ１１６（マイクロプロセッサ１０と同じプロセッサまたはその他のプロセッサとすることができる）に出力される。
通常、図１１の実施形態では、周囲受光部光ファイバは、図１の実施形態と同様に使用すればよく、図６を参照しながら説明したプロセスが、全体的にこの実施形態に適用可能である。
図１２は、光センサ８（およびフィルタ２２等）の代わりに、マトリクス光センサおよび色フィルタ・グリッドを用いる、本発明の実施形態を示す。受光部光ファイバ７は、図１の実施形態の場合と同様にプローブ・チップ１に光学的に結合することができ、フィルタ・グリッド１２０を介して、マトリクス光センサ１２２に光学的に結合されている。フィルタ・グリッド１２０は、狭い帯域の可視光を通過させる多数の小さな有色スポット・フィルタから成るフィルタ・アレイである。受光部光ファイバ７からの光は、対応するフィルタ・スポットを通過し、マトリクス光センサ１２２上の対応する点に達する。この実施形態では、マトリクス光センサ１２２は、ＣＣＤ型、またはビデオ・カメラにおいて使用されているその他のタイプの光センサ・エレメントのような、単色光センサ・アレイとすればよい。マトリクス光センサ１２２の出力は、ＡＤＣ１２４によってデジタル化され、マイクロプロセッサ１２６（マイクロプロセッサ１０と同じプロセッサまたはその他のプロセッサとすることができる）に出力される。マイクロプロセッサ１２６の制御のもとで、マトリクス光センサ１２２は、受光光ファイバ７から色フィルタ・グリッド１２０を介してデータを収集する。
通常、図１２の実施形態では、周囲受光部光ファイバは、図１の実施形態と同様に使用すればよく、図６を参照しながら説明したプロセスが、全体的にこの実施形態に適用可能である。
前述の説明から明確となろうが、本発明を用いると、種々のタイプのスペクトル色／光学測光計（または三刺激型測色計）を構築し、周囲受光部光ファイバを用いて、高さおよび角度の偏差を本質的に解消した色／光学データを収集することができる。加えて、ある種の実施形態では、本発明は、測定対象物体の表面から、臨界高さにおいて色／光学測定を行うことを可能にし、したがって、測定対象物体と物理的に接触することなく、色／光学データを得ることができる（かかる実施形態では、プローブを領域１を通過させて領域２まで進めることによってのみ色／光学データが得られるが、必ずしも図５Ａおよび図５Ｂの領域３に入らなくてもよい）。かかる実施形態は、特定用途において表面との接触が望ましくない場合に、使用することができる。先に説明した実施形態では、しかしながら、プローブの物体との物理的接触（またはほぼ物理的な接触）によって、図５Ａおよび図５Ｂの５つの領域全てが利用可能となり、これによって半透明性の情報も得ることが出きるような測定を行うことが可能となる。双方のタイプの実施形態は、全体的に、ここに記載する本発明の範囲に含まれるものである。
次に、図１および図３の好適な実施形態（群）に関連して説明したタイプのカットオフ・フィルタ（図３のフィルタ２２のような）に関して、補足説明を行う。図１３Ａは、図３との関連において論じた、単一のKodak Sharp Cutting Wratten Gelatin Filterの特性を示す。かかるカットオフ・フィルタは、カットオフ周波数より低い（即ち、カットオフ波長より高い）光を通過させる。かかるフィルタは、広い範囲のカットオフ周波数／波長を有するように製造することができる。図１３Ｂは、多数のかかるフィルタ、好適な実施形態では１２個を示す。カットオフ周波数／波長は、本質的に可視帯域全体が、カットオフ・フィルタの集合によってカバーされるように選択する。
図１４Ａおよび図１４Ｂは、図１３のＢに示したようなカットオフ・フィルタ構成を用いた、強度測定の一例を示す。第１に、白い表面を測定した場合（図１４Ａ）、そして青い表面を測定した場合（図１４Ｂ）も示す。図１４のＡに示すように、白い表面の場合、中性フィルタを介した周囲光ファイバを、高さおよび角度などの検出に用いるが、概略的に最高の強度が得られる（しかしながら、これは、少なくとも部分的には、中性濃度フィルタの特性に依存する）。図１３Ｂに示す特性を有するフィルタによって与えられる段階状カットオフ・フィルタ処理の結果として、残留する強度は、図１４Ａに示すように、徐々にその値が減少する。青い表面の場合、概略的に図１４Ｂに示すように、強度は、その値が徐々に減少する。しかしながら、表面には無関係に、フィルタからの強度は、図示のように、常にその値が減少し、最も大きい強度値は、波長カットオフ値が最も小さい（即ち、青までの可視光を全て通過させる）フィルタの出力であり、最も低い強度値は、波長カットオフ値が最も高い（即ち、赤い可視光のみを通過させる）フィルタの出力である。前述の説明から理解されるように、図１４Ａおよび図１４Ｂの減少強度特性と一致しない検出色データはいずれも、異常として検出することができ、ある種の実施形態では、かかる状態の検出の結果、データの破棄、エラー・メッセージの発生、または診断ルーチンの開始等が行われることになる。
次に、図１および図３、ならびに関連する説明を参照し、かかるカットオフ・フィルタ構成を、どのようにして本発明にしたがって利用するのかについて詳細に説明する。
図１５は、本発明のある種の実施形態において使用可能なオーディオ・トーンを示すフロー・チャートである。オーディオ・トーン（これから述べるような、トーン、ビープ、音声等のような）は、ここに記載する形式の色測定システムの適正使用において、オペレータを誘導するのに特に有用でありかつ教育的な手段であることが発見されている。
オペレータは、ステップ１５０において、（図１のスイッチ１７のような）スイッチの作動により、色／光学測定を開始することができる。その後、システムの準備（設定、初期化、較正等）ができたなら、ステップ１５２において（図１のスピーカ１６を通じてというように）プローブ降下トーンを発する。システムは、ステップ１５４において、ピーク強度Ｐ１を検出しようとする。ピークが検出された場合、ステップ１５６において、測定ピークＰ１が適用可能な評価基準（図５Ａ、図５Ｂおよび図６に関連して前述したような）を満たすか否かについて判定を行う。測定ピークＰ１が受け入れられた場合、ステップ１６０において第１ピーク受け入れトーンを発生する。測定ピークＰ１が受け入れられなかった場合、ステップ１５８において失敗トーンを発生し、システムは、オペレータが別の色／光学測定を開始するのを待つ。第１のピークが受け入れられたと仮定すると、システムは、ステップ１６２において、ピーク強度Ｐ２を検出しようとする。第２ピークが検出された場合、ステップ１６４において、測定ピークＰ２が適用可能な評価基準を満たすか否かについて判定を行う。測定ピークＰ２が受け入れられた場合、プロセスは色計算ステップ１６６に進む（他の実施形態では、ステップ１６６において第２ピーク受け入れトーンを発生する）。測定ピークＰ２が受け入れられなかった場合、ステップ１５８において失敗トーンを発生し、システムは、オペレータが別の色／光学測定を開始するのを待つ。第２のピークが受け入れられたと仮定すると、ステップ１６６において色／光学計算を行う（例えば、図１のマイクロプロセッサ１０が、光センサ８等から出力されたデータを処理する等）。ステップ１６８において、色計算が適用可能な評価基準を満たすか否かについて判定を行う。色計算が受け入れられた場合、ステップ１７０において成功トーンを発生する。色計算が受け入れられなかった場合、ステップ１５８において失敗トーンを発生し、システムはオペレータが別の色／光学測定を開始するのを待つ。
本システムの特定の動作状態にしたがってオペレータに独特のオーディオ・トーンを提示することによって、オペレータのシステム使用を格段に簡単にすることができる。かかるオーディオ情報は、例えば、システムを思い通りに動作させた場合に、受け入れトーンは肯定的で励みになるフィードバックを与えるので、オペレータの満足度および熟練度を高めるのに役立つ。
本発明による色／光学測定システムおよび方法は、以下で更に詳しく説明するように、歯科学の分野に適用して、特別な利点が得られるものである。即ち、本発明は、かかるシステムおよび方法を使用し、歯の色およびその他の属性を測定し、義歯または口腔内有色歯充填材を調製したり、あるいは有床義歯（denture teeth）を選択したり、あるいはポーセレン／樹脂製義歯に相応しいセメントの色を決定することを含む。また、本発明は、患者データベースの形態のように、測定データを格納し組織化する方法も提供する。
図１６は、本発明による色／光学測定システムおよび方法の使用のための、歯科適用プロセス・フローを概略的に示すフロー・チャートである。ステップ２００において、色／光学測定システムに電力を投入し、安定化させ、必要な初期化またはその他の設定ルーチンを実行することができる。ステップ２００において、システム・ステータスの指示を、図１のＬＣＤ１４またはスピーカ１６によってというように、オペレータに与えるとよい。また、ステップ２００では、プローブ・チップを遮蔽するか、あるいは清潔なプローブ・チップを挿入し、汚染の可能性を低下させることができる（例えば、図７Ａないし図８Ｂ、および関連する説明を参照のこと）。他の実施形態では、測定プロセスに悪影響を与えないような構造および／または配置とするのであれば、プラスチックまたはその他のシールドを用いてもよい（前述のように、使い捨て可能、清浄可能／再利用可能等とすることができる）。
ステップ２０２において、患者および測定対象の歯の準備を行う。必要な洗浄またはその他の歯の準備は全て、ステップ２０２で行っておく。義歯のタイプまたは一致させる歯の領域について患者に必要な相談は全て、ステップ２０２（またはそれ以前）で行っておく。ある種の実施形態では、ステップ２０２において、図１７Ａおよび図１７Ｂに示すような位置決めデバイスを用意する。かかる実施形態では、例えば、（適切な接着剤を用いてというように）歯２８０に接着する黒またはその他の適切な有色材料２８２を形成し、測定プローブの直径よりも大きな開口２８１を形成し、測定対象の歯２８０の領域の中心に開口２８１を位置付ける。位置決めデバイス２８２の材料は、歯２８０上に嵌め込むように（歯２８０の切歯縁（incisal edge）上、および／または１つ以上の隣接する歯の上等に）形成し、繰り返し歯２８０の上に配置できるようにする。かかる位置決めデバイスは、歯２８０の所望の領域を確実に測定するように作用し、更に確認等の目的のための同じ領域の繰り返し測定を可能にする。ステップ２０２（またはその前）において、他のあらゆる予備測定処置を行うことができる。
ステップ２０４において、オペレータ（典型的に、歯科医またはその他の歯科専門家）はプローブを測定対象の歯の領域に向かって移動させる。このプロセスは、図５Ａ、図５Ｂおよび図６を参照しながら説明した方法にしたがって行うことが好ましく、図１５を参照して説明するようなオーディオ・トーンを伴うことが好ましい。本発明では、オペレータは、例えば、測定対象の歯の所望領域から、色および半透明性データ等を得ることができる。ステップ２０４の間、受け入れられる色／光学測定を行い、測定工程を繰り返す必要があること、またはその他の処置を取る必要があることの指示をオペレータに与える。ステップ２０４において、受け入れられる色／光学測定が行われた後、例えば、歯科医は所望の歯または複数の歯において処理を行うか、あるいは他の処置を取ることができる。かかる処置の前または後に、必要に応じて追加の測定を行うことも可能である（例えば、図１８および関連する説明を参照のこと）。
ステップ２０４において１回以上の測定が成功した場合、プロセスはステップ２０６に進む。ステップ２０６において、ステップ２０４で収集したデータの何らかのデータ変換または処理を行うことができる。例えば、図１の実施形態では、詳細な色スペクトルおよび半透明性情報を発生することができる。特定の歯科の用途では、しかしながら、例えば、歯科研究所では、マンセル・フォーマット（Munsell format）（即ち、クロマ、色相および値）、ＲＧＢ値、ＸＺＹ座標、CIEAB値、Hunter値、またはその他の色データ・フォーマットで色を表すことが必要な場合がある。本発明によって生成されたスペクトル／色情報を用いて、例えば、従来のマトリクス算術演算によってデータをかかるフォーマットに変換することができる。かかる算術演算は、図１のマイクロプロセッサ１０またはコンピュータ１３Ａによって、あるいはその他のいずれかの方法で実行することができる。また、ある種の実施形態では、本発明にしたがってステップ２０４において生成されたデータは、データ変換をせずに、直接用いることも可能であることを注記しておく。かかる実施形態では、ステップ２０６を省略することができる。他の実施形態では、ステップ２０６は、ハード・コピー、画像形態またはその他の形態で再生するためのデータ、あるいはファクシミリまたはモデム・データのような送信のためのデータの用意のような、データのフォーマッティングから成る。最後に、ある種の実施形態では、特定用途に適したフォーマットで半透明性係数を計算する。更に他の実施形態では、特定用途に適したフォーマットで表面模様（surface texture）または詳細係数（detail factor）を計算する。
ステップ２０８において、随意選択肢として、ステップ２０４および２０６（実行された場合）において生成されたデータと、所望の色との間で照合を試みる（他の実施形態では、プロセスはステップ２０４から直接２１０に進んでもよく、あるいはステップ２０６および２０８を結合してもよい）。例えば、市場では多数の「シェード・ガイド」が入手可能であり、その中のいくつかは、当業界において、Vitaシェード・ガイド、Bioformシェード・ガイド、あるいはその他の色照合標準、ガイド、参照または特注シェード・ガイドとして知られている。ある種の好適な実施形態では、参照テーブルを用意し、（図１のマイクロプロセッサ１０またはコンピュータ１３Ａに付随するメモリのような）メモリにロードして、公知のシェード・ガイド、特注シェード・ガイド、または基準値と、収集データとの最も近い一致または複数の一致を得ようとする。ある種の実施形態では、半透明性係数および／または表面模様あるいは詳細係数も用いて、可能な限り近い一致を選択する処理を行う。
本発明のある種の実施形態の特定な態様では、ステップ２０８において、材料相関参照テーブル（material correlation lookup table）にアクセスする。ステップ２０４において得られた色および半透明性データに基づいて、提案された材料、染料またはその他の命令情報の配合を、所望の色および半透明性等の義歯、充填材等のために用意する。本発明によって得ることができるようになった詳細な色およびその他の情報によって、関連する構成材料との直接的な相関関係を形成することができる。更に他の実施形態では、かかる情報は、所望の色および半透明性などの義歯または材料の調製のために、自動混合または製造機械に使用させることができる。これについては、更に詳細に説明する。
ステップ２１０において、以前のステップの結果に基づいて、義歯、有床義歯、口腔内有色歯充填材またはその他の品目を用意する。このステップは、歯科研究所において実行し、ある種の実施形態では、歯科治療室（dental operatory）またはその付近で実行する。遠い場所で用意するには、ステップ２０４、２０６および／２０８において生成された関連データを、ハード・コピー、モデムまたはその他の伝達手段によって、遠い研究所または設備に送ればよい。これまでの説明から理解すべきは、ステップ２０４において収集したデータに基づいて、ステップ２１０において、所望の色および／またはその他の光学特性の義歯が調製可能であるということである。
ステップ２１２において、ステップ２１０で用意した義歯またはその他の材料を、確認の目的のために測定することができる。ここでも、図５Ａ、図５Ｂおよび図６を参照しながら説明した方法にしたがって実行することが好ましく、更に、図１５を参照して説明するように、オーディオ・トーンを伴うことが好ましい。また、このステップにおいて、患者の口の中で確認の目的のために歯の再測定等を行ってもよい。確認プロセスにおいて満足のいく結果が得られた場合、ステップ２１４において、義歯、有床義歯、複合充填材またはその他の材料の暫定的な据え付け即ち適用を、患者に対して行う。ステップ２１６において、随意選択肢として、義歯、有床義歯、複合充填材またはその他の材料の再測定を行うことができる。ステップ２１６の結果が受入可能である場合、ステップ２１８において、より永続的な義歯の据え付け即ち適用を患者に行う。ステップ２１６の結果が受入可能でない場合、義歯の修正を行ったり、および／または特定の状況における必要性に応じてこれまでのステップを繰り返す。
本発明の別の特定形態では、例えば、図１８に示すようなデータ処理を、図１６のプロセスと組み合わせて実行してもよい。ステップ２８６において、顧客データベース・ソフトウエアを、図１のコンピュータ１３Ａのような計算装置上で実行させる。かかるソフトウエアは、各顧客毎にデータ・レコードを含むことができ、データ・レコードは、当該患者に施術した歯科サービスの履歴、患者の歯のステータスまたは状態に関する情報、請求書発行、住所およびその他の情報を含む。かかるソフトウエアは、本発明にしたがって得た色およびその他のデータを受け入れる状態となるモードに入ることができる。
ステップ２８８において、例えば、歯科医またはその他の歯科専門家は、測定対象患者の特定の歯について、パラメータを選択することができる。当該歯のサイズおよび（色の諧調などのような）状態に応じて、歯科医はその歯を、グリッドのような、１つ以上の領域に分割する。したがって、例えば、４回の測定を行うと決定した歯の場合、この歯を４領域に分割する。かかるパラメータは、（グリッド・ラインによる等として）４領域に分割された歯の、コンピュータ上の画像表現を含むことができ、歯の識別情報および患者情報と共に、この時点でコンピュータに入力することができる。
ステップ２９０において、図１、図５Ａ、図５Ｂおよび／または図６との関連で説明したシステムおよび方法等により、１回以上の歯の測定を行うことができる。かかる測定の回数は、ステップ２８８で入力したパラメータと関連付けることが好ましい。その後、ステップ２９２において、測定（複数の測定）から収集したデータをコンピュータに送り、その後の処理を行うことができる。代表例として、４回の色／光学測定値（先の例では、歯の４領域に対する測定値）を得て、コンピュータに送り、本発明にしたがって、４回の色／光学測定の（ＲＧＢまたはその他の値のような）データを、４つの領域と関連付ける。また、一例として、歯の表示画像表現を、色／光学測定値（群）を示すデータの上に重ねてもよい。ステップ２９４において、特定の患者に対する色／光学測定の完了後等に、当該プロセス中に収集したデータを、データベース内の患者の歯に関するレコードの一部として、関連付けて記憶することができる。口腔内カメラの使用によって達成される実施形態では、例えば（例えば、図１９および関連する説明を参照のこと）、患者の歯の１つ以上の捕獲画像も、患者の歯に関するレコードの一部として、関連付けて記憶することができる。ある種の実施形態では、口腔内カメラによって捕獲された画像に、グリッド即ち切断線（ステップ２８８において定義したような）を重ね合わせ、ここで記載したように測定した色およびその他のデータも、捕獲画像上に重ね合わせる。このようにして、色またはその他のデータを、特定の測定した歯の画像と電子的かつ視覚的に関連付けることによって、システムの使用および収集したデータの理解を容易にする。更に他の実施形態では、かかる捕獲画像および色測定レコードの全ては、時刻および／または日付けを含むことにより、特定の患者の特定の歯の特定の履歴のレコードを保持することができる。本発明にしたがって口腔内カメラ等を使用する追加の実施形態については、図２４ないし図２６および関連する説明を参照のこと。
本発明の更にまた他の特定形態では、測定デバイスおよび方法（前述したような）を、口腔内カメラおよびその他の機器と組み合わせてもよい。図１９に示すように、制御装置３００は、電源、制御電子部品、光源等のような、従来の電子部品および回路を含む。制御装置３００に結合されているのは、（患者の歯または複数の歯等の画像を視認し、捕獲するための）口腔内カメラ３０１、（光硬化性口腔内充填材を硬化させるためのような）硬化用ライト３０２、（前述したような）測定デバイス３０４、および（口腔内検査等のための補助光としてもよい）可視光３０６である。かかる実施形態では、色、半透明性、蛍光性、表面模様および／または測定デバイス３０４から収集された特定の歯のその他のデータを、口腔内カメラ３０１によって捕獲した画像と組み合わせることができ、測定デバイス３０４、口腔内カメラ３０１、硬化用ライト３０２および可視光３０６を単一装置に統合したことによって、患者の検査および処理全体が簡単になる。かかる統合化は、器具の使用において、相乗効果を発揮するように作用しつつ、しかもコスト削減や、物理的な空間の節約も得られる。かかる実施形態の他の特定態様では、測定デバイス３０４および口腔内カメラ３０１の光源を共有することによって、追加の効果を得ることができる。
次に、図２０ないし図２３を参照しながら、本発明の更に別の実施形態について説明する。これまでに説明した実施形態は、全体的に、測定対象物体／歯に対するプローブの移動を基本とするものであった。かかる実施形態は多くの用途において大きな有用性を与えるが、ロボット、工業制御、自動製造等のようなある種の用途においては（物体および／またはプローブを互いに近接配置したり、物体の色／光学特性を検出したり、物体の進路を決めるため、例えば、検出された色／光学特性に基づいて分類し、更に工業的処理やパッケージ処理等を行うために）、測定対象物体の表面上に、保持したプローブ、即ち、ほぼ固定的に位置付けたプローブを用いて測定を行うことが望ましい場合がある（かかる実施形態の場合、位置決めされたプローブは、ある種の他の実施形態におけるようには扱うことができない）。かかる実施形態は、歯科学の分野においても適用可能性を有する（かかる用途では、「物体」は、通常歯等を意味する）。
図２０は、このような更に別の実施形態を示す。この実施形態のプローブは、複数の周囲センサと、受光部３１２〜３２０に結合された複数のカラー・センサとを含む。カラー・センサおよび関連する構成要素等は、前述の実施形態と同様に動作するように構築すればよい。例えば、光ファイバ・ケーブル等は、受光部３１２〜３２０が受光する、光源３１０からの光をシャープ・カットオフ・フィルタに結合し、正確に規定された波長について、受けた光を測定する（例えば、図１、図３および図１１ないし図１４、ならびに関連する説明を参照のこと）。物体の色／光学特性は、複数のカラー・センサ測定値から判定することができ、これらには、三刺激計器の場合には、３つのかかるセンサ即ち８，１２，１５、あるいはより完全な帯域幅システムのためにはそれよりも多いカラー・センサを含むことができる（正確な数は、所望の色分解能などによって決定することができる）。
この実施形態では、比較的多数の周囲センサを用いる（例えば、本発明のある種の好適な実施形態において用いられる３つの周囲センサとは異なる）。図２０に示すように、周囲センサに結合された複数の受光部のトライアッド（triad）３１２〜３２０を用い、好適な実施形態では、トライアッドとは、各々、光源３１０から等距離に配置した３本の光ファイバから成るもののことである。好適な実施形態では、光源３１０は、中央光源光ファイバである。周囲受光部／センサのトライアッドは、中央光源光ファイバ周囲の同心状センサ・リングとして構成することができる。図２０では、１０個のかかるトライアッド・リングが示されているが、他の実施形態では、所望の精度や動作範囲、およびコスト要因等に応じて、これよりも少ない数または多い数のトライアッド・リングを用いてもよい。
図２０に示すプローブは、ある範囲の高さ（即ち、測定対象物体からの距離）以内で動作することができる。前述の実施形態の場合と同様、かかる高さ特性は、主に、プローブの幾何学的形状および構成材料によって決定され、周囲センサの最小リングの間隔が最小高さを決定し、周囲センサの最大リンクの間隔が最大高さを決定する等となる。したがって、周囲センサ・リングの数や、中央光源光ファイバからのリング距離の範囲を変更することによって、種々の高さ範囲や精度等のプローブを構築することが可能となる。かかる実施形態は、同様の種類の物質を測定する場合等に特に適していることを注記しておく。
先に説明したように、複数の受光部／周囲センサのための受光エレメントは、Texas InstrumentsのTSL230光−周波数変換器のような個々のエレメントとすることができ、あるいはＣＣＤカメラにおいて見出される場合もあるもののような、矩形のアレイ・エレメントを用いて構築することもできる。他の実施形態では、他の広帯域光測定エレメントが使用される。かかる実施形態において用いられる周囲センサには（図１６の実施形態については３０のように）多数あるが、ＣＣＤカメラ型の検知エレメントのようなアレイが望ましい場合がある。尚、本発明のかかる実施形態には、周囲センサが測定する光の絶対強度レベルは、さほど重大でないことを注記しておく。かかる実施形態では、周囲光センサのトライアッド間の差は、光学測定を行うために利用すると有効である。
かかるプローブを用いる場合、測定対象物体の表面付近にこのプローブを保持／位置決めすることによって（即ち、特定のプローブの容認可能な高さの範囲内で）、光学測定を行うことができる。光源３１０に光を供給する光源をオンに切り替え、（周囲センサに結合された）受光部３１２〜３２０によって受けられた反射光を測定する。トライアッド・センサのリングの光強度を比較する。通常、プローブが表面に対して垂直であり、表面が平面であれば、各トライアッドの３つのセンサの光強度はほぼ等しいはずである。プローブが表面に対して垂直でない場合、または表面が平面でない場合、１つのトライアッド内の３つのセンサの光強度は等しくない。したがって、プローブが測定対象表面等に対して垂直であるか否かについて判定することができる。また、周囲センサのトライアッドの測定値の分散（variance）を用いて、カラー・センサの光強度測定値を数学的に調節することによって、非垂直面を補償することも可能である。
センサのトライアッドを形成する３つのセンサは、中央光源３１０からの距離（半径）が異なるので、受光部３１２〜３２０および周囲センサによって測定される光強度は変動することが予測される。いずれの所与のセンサのトライアッドについても、表面に近づくようにプローブを移動させると、受光強度は最大まで増大し、プローブを表面に近づくように移動させるに連れて、急激に低下する。既に説明した実施形態の場合と同様に、強度は、プローブを臨界高さ未満に移動させると急激に低下し、不透明な物体に対しては、急激にゼロまたは殆どゼロに低下する。臨界高さの値は、主に、光源３１０からの特定の受光部までの距離によって異なる。したがって、センサのトライアッドは、異なる臨界高さにおいてピークを得ることになる。センサのトライアッドが受ける光の値の変動を分析することによって、プローブの高さを決定することができる。この場合も、これは、同様の種類の物質を測定する場合に、特にあてはまる。
本システムは、最初に中性的な背景（例えば、グレーの背景）に対して較正が行われ、較正値を不揮発性メモリ（例えば、図１のプロセッサ１０を参照）に格納する。いずれの所与の色または強度についても、受光部／周囲センサ（中央光源光ファイバからの距離には無関係）に対する強度は、通常、同様に変動するはずである。したがって、白い表面は周囲センサに対して最も高い強度を生じ、黒い壁は最も低い強度を生ずる。表面の色は、周囲センサの測定光強度に影響を与えるが、それらにほぼ同様に影響を与えるはずである。しかしながら、物体の表面からのプローブの高さは、センサのトライアッドに異なる影響を与える。プローブの最小高さ範囲では、最も小さいリング（光源光ファイバに最も近いもの）内のセンサのトライアッドは、それらの最大値またはその周囲にある。残りのトライアッドのリングは、それらの最大値よりも低い強度で、光を測定する。プローブを最小高さから上昇／位置決めするに連れて、最も小さいセンサ・リングの強度は低下し、次のセンサ・リングの強度が最大値まで増大し、次いで、プローブを更に上昇／位置決めすると、強度は低下する。第３のリング、第４のリング等についても同様である。したがって、トライアッドのリングによって測定される強度のパターンは、高さに依存する。かかる実施形態では、プローブのために、中性色表面を用い固定具内においてそれを較正することによって、このパターンの特性を測定し、不揮発性ＲＡＭの参照テーブル（等）に格納するとよい。ここでも、光の実際の強度は、かかる実施形態ではさほど重要ではないが、周囲センサのリング間の分散の度合いは重要である。
測定対象の表面からのプローブの高さの測定値（measure）を決定するために、周囲センサ（受光部３１２〜３２０に結合されている）の強度を測定する。周囲センサの内側のリングから次のリングまでの光強度の分散等を分析し、参照テーブル内の値と比較することによって、プローブの高さを決定する。こうして表面に対して決定されたプローブの高さは、システム・プロセッサが用いて、カラー・センサによって測定された光強度を補償し、概ね高さとは無関係な、反射率の読み取り値を得る。前述の実施形態の場合と同様、反射率の測定値は、測定対象物体の光学特性等を判定するために使用可能である。
先に述べたようなオーディオ・トーンは、かかる実施形態をハンドヘルド構成に用いる場合に、採用すると効果的であることを注記しておく。例えば、種々のパルス、周波数、および／または強度のオーディオ・トーンを用いて、計器が色測定のための容認可能範囲内に位置したとき、有効または無効の色測定が行われたとき等、計器の動作ステータスを示すことができる。通常、前述のようなオーディオ・トーンは、かかる別の実施形態との有効な使用ができるように適合化させることができる。
図２１は、本発明の更に別の実施形態を示す。この実施形態の好適な実施態様は、複数の受光部３２２（好適な実施形態では、３つの周囲受光部光ファイバから成る）によって包囲された、中央光源３１０（好適な実施態様では、中央光源光ファイバ）から成る。前述の実施形態と同様、３本の周囲受光部光ファイバは、各々、追加の光ファイバ内に接合し、光強度受光部／センサに到達させることができる。光強度受光部／センサは、前述の、Texas InstrumentsのTSL230光−周波数変換器によって実施すればよい。
各周囲受光部の１本のファイバをセンサに結合し、中性濃度フィルタを介する等として最大帯域幅（または実質的に同じ帯域幅）を測定し、周囲受光部のファイバの内他のものをセンサに結合し、光がシャープ・カット・オフまたはノッチ・フィルタを通過し、異なる周波数範囲におよぶ光（この場合も、先に記載した実施形態と同様）の光強度を測定する。このように、先に記載した実施形態と同様、色光センサおよび中性「周囲」センサがある。カラー・センサは、物体の色またはその他の光学特性を判定するために用い、周囲センサは、プローブが表面に対して垂直か否かを判定するために用い、および／または所定の角度範囲内で非垂直角度を補償するために用いる。
図２１の実施形態では、周囲センサ光ファイバの角度は、中央の光源光ファイバに対して機械的に変化させる。中央の光源光ファイバに対する周囲受光部／センサの角度を測定し、以下に述べるように利用する。機械的な機構の一例について、図２２を参照しながら説明する。その詳細は、光源に対して周囲受光部の所望の制御移動が得られる限り、重要ではない。
（特定の構成および構造等によって判定する）計器の有用な範囲内にプローブを保持し、色の測定を開始する。周囲受光部／センサの中央光源に対する角度は、中央の光源光ファイバに向かう点（pointing）に平行なところから変化させる。角度を変化させている間、周囲センサ（例えば、中性センサ）およびカラー・センサに対する光センサの強度を測定し、この光測定時におけるセンサの角度と共にセーブする。ある角度範囲にわたって、光強度を測定する。角度を大きくするに連れて、光強度は最大値まで増大し、角度を更に大きくすると減少に転じる。光値が最大となる角度を用いて、表面からのプローブの高さを判定する。ここに提供する教示に基づけば当業者には明白であろうが、適切な較正データにより、単純な幾何学的形状を用いて、角度変化中に測定したデータに基づいて高さを計算することができる。次に、色／光学測定強度の補償、および／または色値の正規化等に、この高さの値を用いることができる。
図２２は、周囲センサの角度を調節し測定する機械的構成の実施形態の一例を示す。各周囲受光部／センサ３２２には、プローブ・フレーム３２８上に旋回アーム３２６が取り付けられている。旋回アーム３２６は、カム機構を形成するように、中央リング３３２に係合する。中央リング３３２は、旋回アーム３２６の一部を保持する溝を含み、カム機構を形成する。中央リング３３２は、直線アクチュエータ３２４および螺子切りスピンドル３３０によって、プローブ・フレーム３２８に対して垂直に移動することができる。直線アクチュエータ３２４に対する中央リング３３２の位置は、光源３１０に対する周囲受光部／センサ３２２の角度を決定する。直線アクチュエータ３２４の位置と１対１で対応するかかる角度位置データは、予め較正し、不揮発性メモリに格納しておき、後に、前述のような色／光学特性測定データを得る際に用いるとよい。
次に、図２３Ａないし図２３Ｃを参照して、別の着脱自在プローブ・チップを用いる本発明の別の実施形態について説明する。図２３のＡに示すように、この実施形態は、着脱自在チップとして、着脱自在のコヒーレント光導管（コンジット）３４０を用いる。光導管３４０は、光導管の短い区域であり、好ましくは、小さな光ファイバを溶融した束（fused bundle）とし、ファイバを互いにほぼ平行とし、その端部は高精度に研磨されている。光導管３４０の断面３５０を図２３のＢに示す。光導管３４０と同様の光導管が、ボアスコープ（borescope）として知られているものに既に利用されており、内視鏡のような医学的用途においても利用されている。
この実施形態における光導管３４０は、光源から測定対象物体の表面まで光を導き、更に表面からの反射光を受け、それをプローブ・ハンドル３４４内の受光部光ファイバ３４６まで導くように作用する。光導管３４０は、圧縮かみ合い部３４２またはその他の適切な取付金具によって、光ファイバ３４６に対して適切な位置に保持されるか、あるいは光導管３４０を確実に位置付けるように結合し、光ファイバ３４６への／からの光を効果的に結合する。光ファイバ３４６は、別個のファイバ／光導管３４８に分離させてもよく、前述の実施形態の場合のように、これらを適切な光センサ等に結合することができる。
概略的に、光導管３４０内に用いる光ファイバのアパーチャは、光源および受光部用光ファイバのアパーチャと一致するように選択すればよい。したがって、光導管の中央部分は、光源からの光を導き、ファイバの束の中で単一のファイバを構成するかのように、表面を照明することができる。同様に、光導管の外側部分は、反射光を受け、単一のファイバを構成するかのように、受光部光ファイバにそれを導くことができる。光導管３４０は端部を有し、高精度に研磨し垂直に切断することが好ましく、特に光ファイバ３４６に光を結合する端部では好ましい。同様に、光導管３４０に接する光ファイバ３４６の端部も、高精度に研磨し、高い精度で垂直に切断し、光の反射や、光源光ファイバおよび受光部光ファイバ間、ならびに隣接する受光部光ファイバ間のクロス・トークを最少に抑える。光導管３４０は重要な利点を与え、それはかかる着脱自在のチップの製造および実装の場合を含む。例えば、プローブ・チップは、特にプローブ・チップ・ホルダと位置合わせする必要がなく、圧縮機構（圧縮かみ合い部３４２を用いる等）を用いる等によって、プローブ・チップ・ホルダに対して保持し、光を光ファイバ３４６へ／から効果的に結合するだけでよい。したがって、かかる着脱自在のチップ機構は、位置合わせ用タブなどがなくても実施することができるので、着脱自在のプローブ・チップの実装は容易に行われる。このように容易に実装可能なプローブ・チップは、したがって、実装前に取り外して清浄化することにより、歯科医、医療関係、または汚染が問題となり得る環境におけるその他の作業において、色／光学測定装置の使用が容易となる。また、光導管３４０は、例えば、光導管の小部分として実施することも可能であり、簡単で低価格の大量生産等を容易に行うことが可能となる。
かかる光導管プローブ・チップの別の実施形態を、図２３のＣに光導管３５２として示す。光導管３５２は、一端（端部３５４）が他端（端部３５６）よりも狭い光導管である。光導管３５２のような有形／テーパ状光導管（contoured/tapered light conduit）は、溶融プロセスの一部として、１束の小さな光ファイバを加熱し、延伸することによって製造することができる。かかる光導管は、拡大または縮小という追加の興味深い特性を有する。かかる現象が発生するのは、両端部に同数のファイバがあるからである。したがって、狭い端部３５４に入射する光が広い端部３５６に導かれ、広い端部３５６の方が広い領域をカバーするので、拡大効果が得られる。
図２３Ｃの光導管３５２は、図２３Ａの光導管３４０（全体的に円筒形でよい）と同様に用いることができる。しかしながら、光導管３５２は、その端部３５４のサイズが縮小されているので、小さな領域を測定する。このように、比較的大きなプローブ本体を製造し、光源光ファイバを受光部光ファイバから広い空間を取って配することができるので、接合部における光の反射およびクロス・トークの減少という利点が得られ、しかも小さなプローブ測定領域を維持することができる。加えて、光導管３５２の狭い端部３５４の相対的なサイズは、変更することができる。これによって、オペレータは、特定用途における条件にしたがって、着脱自在のプローブ・チップのサイズ／特性を選択することが可能となる。このようにプローブ・チップのサイズが選択可能なために、種々の用途や動作環境において、光学特性を測定する際に更に別の利点を得ることができる。
本明細書の開示を検討すれば当業者には明白であろうが、図２３Ａおよび図２３Ｃの光導管３４０および３５６は、必ずしも図示のような円筒／テーパ状である必要はなく、曲線状のプローブ・チップが有効に用いることができるような特殊用途（狭い場所または到達が困難な場所におけるような用途）のため等には、湾曲させてもよい。また、図２３Ｃの光導管３５２を逆にして、より広い領域をカバーするように（狭い端部３５４が光を光ファイバ３４６等に結合し、広い端部３５６を測定を行うように配置する）してもよいことを注記しておく。
次に、図２４を参照しながら、本発明の更に別の実施形態について説明する。
上述のように構築することができる口腔内反射率計３８０は、プローブ３８１を含む。反射率計３８０から出力されるデータは、バス３９０（標準的なシリアルまたはパラレル・バス等とすればよい）を通じて、コンピュータ３８４に結合される。コンピュータ３８４は、ビデオ・フリーズ・フレーム機能と、好ましくはモデムとを有する。口腔内カメラ３８２はハンドピース（handpiece）３８３を含み、バス３９２を通じてビデオ・データをコンピュータ３８４に結合する。コンピュータ３８４は、遠隔通信チャネル３８８を通じて、遠隔コンピュータ３８６に結合されている。遠隔通信チャネル３８８は、標準的な電話回線、ＩＳＤＮ回線、ＬＡＮまたはＷＡＮ接続等とすればよい。かかる実施形態では、口腔内反射率計３８０によって行う光学測定と共に、口腔内カメラ３８２によって、１つ以上の歯の映像測定を行うことも可能である。コンピュータ３８４は、口腔内カメラ３８２の出力から、静止写真画像を格納することができる。
歯は、色が歯毎に異なることが知られており、更に歯は、１つの歯の領域の中でも色が異なることが知られている。口腔内カメラは、歯の詳細を示すのに有用であることが知られている。しかしながら、口腔内カメラは、通常色再現性に乏しい。これは、コンピュータ・モニタ、プリンタ等における、カメラの検知エレメントのばらつき（カメラ毎および時間的なばらつき等）によるものである。かかるばらつきの結果として、口腔内カメラによって歯の色を精度高く評価することは、目下のところ不可能である。本実施形態では、歯の色またはその他の光学的特性の測定および評価を、口腔内カメラと共に、本発明による口腔内反射率計の使用によって、簡略化することができる。
この実施形態によれば、歯科医は、コンピュータ３８４のフリーズ・フレーム構造を用いて、歯およびその隣接する歯の静止写真を撮ることができる。そして、コンピュータ３８４は、適切なソフトウエアおよびオペレータの制御の下で、輝度信号のグレー・レベル数を制限することによってというように、その歯およびそれに隣接する歯の画像を「ポスチャライズ（postureize）」することができ、これによって、隣接する色の境界の輪郭を示すカラー画像を得ることができる。図２５に示すように、かかるポスチャライゼーション・プロセスによって、歯３９６の色の輪郭にしたがう領域３９８に分割された歯３９６が得られる。図示のように、境界は通常形状が不規則であり、特定の歯に見いだされる種々の色のばらつきに従う。
図２５に示すようにポスチャライズした歯によって、コンピュータ３８４は測定対象の歯の特定の色領域を強調し（有色境界線、シェーディング、強調等によってというように）、次いで歯科医が口腔内反射率計３８０を用いて、強調された領域を測定することができる。口腔内反射率計３８０の出力は、バス３９０を通じてコンピュータ３８４に入力され、次いでコンピュータ３８４は強調領域に関連する色／光学データを、メモリまたはハード・ディスクあるいはその他の記憶媒体に格納することができる。次に、コンピュータ３８４は、他の領域を強調し、全ての所望の強調領域に関連する色／光学データがコンピュータ３８４に格納されるまで、このプロセスを続けることができる。かかる色／光学データは、次に、特定の歯のビデオ画像およびポスチャライズ・ビデオ画像等と共に、適切なデータベースに格納することができる。
次に、コンピュータ３８４は、特定の色領域の測定値が、隣接する色領域に対する色測定値と一貫性があるか否かについて評価を行う。例えば、ある領域の色／光学測定値が、隣接領域に比較して暗い領域を示すが、ポスチャライズ画像は逆が真であることを示す場合、コンピュータ３８４は、口腔内反射率計３８０を用いて１つ以上の領域を測定し直すべきことを、歯科医に（オーディオ・トーンによる等して）通知することができる。コンピュータ３８４がかかる相対的な色の判定を行うのは（フリーズ・フレーム・プロセスからコンピュータ３８４に格納された色値が真の色値でないとしても）、領域毎のばらつきが、口腔内反射率計３８０によって得られる色／光学測定値と同じパターンに従うからである。したがって、ある領域がその隣よりも暗い場合、コンピュータ３８４は、口腔内反射率計３８０からのその位置領域の色測定データは、隣接領域の色測定データに比較して暗いこと等を予測する。
前述した色測定データおよび捕獲画像の場合と同様、歯のポスチャライズ画像は、当該歯の種々の領域の色／光学測定データと共に、都合よく格納し、維持し、患者の歯に関するレコードの一部としてアクセスすることができる。かかる格納データは、隣接する歯の色／領域と一層正確に一致する義歯を作成するときに利用することができるという利点がある。
上述の実施形態の更に別の改良において、コンピュータ３８４は、モデムを内蔵するか、あるいはモデムが結合されていることが好ましい。かかるモデム機能（ハードウエアまたはソフトウエアでもよい）によって、コンピュータ３８４は、遠隔通信チャネル３８８を通じて、遠隔コンピュータ３８６にデータを結合することができる。例えば、遠隔コンピュータ３８６は、遠くに位置する歯科研究所に配置されていてもよい。口腔内カメラ３８２を用いて捕獲されたビデオ画像、および口腔内反射率計を用いて収集された色／光学データは、遠隔地域の歯科技工士（例えば）に送信し、かかる画像およびデータを用いて義歯を作成することができる。加えて、コンピュータ３８４および遠隔コンピュータ３８６には、内部または外部テレビ会議機能を装備することにより、歯科医および歯科技工士または窯業家（ceramist）等が、かかる画像および／またはデータを見ながら、生のビデオまたはオーディオ会議を有することが可能となる。
例えば、生のテレビ会議を行うことによって、歯科技工士または窯業家は、口腔内カメラ３８３を用いて捕獲したビデオ画像を見て、患者の歯および顔の特徴や表情などの画像を見た後に、口腔内反射率計３８０を用いた測定に、患者の歯のどの領域を推薦するかについて、歯科医に指示することができる。歯科医および歯科技工士または窯業家間のかかる対話は、前述のポスチャライゼーションがあってもなくても行うことができる。かかる対話は、例えば、義歯を修正して最適な美観を得るために細かい変更や微妙な特徴化を必要とする、義歯の試適フェーズ（try-in phase）において、特に望ましい場合がある。
更に別の改良も、図２６を参照することによって理解することができよう。図２６に示すように、口腔内カメラ３８２を含む、前述の実施形態の種々のエレメントと組み合わせて、色較正チャート４０４を用いることも可能である。色較正チャート４０４は既知の色値を図表を示し、例えば、これをビデオ画像に用いて、表示ビデオ画像において、患者４０２の正確な皮膚の色合いを強調することができる。患者の歯肉の組織、顔貌および顔の特徴等は義歯の最終的な美的成果に影響を与え得るので、かかる色較正チャートを用いてより良い美的成果を得るようにすることが望ましい。
追加の例として、かかる色較正チャートをコンピュータ３８４および／または３８６が用いて、捕獲画像内の色データを真の色値または既知の色値に対して「較正」することができる。例えば、色較正チャート４０４は、１つ以上の方向印（orientation markings）４０６を含むことができ、これによってコンピュータ３８４および／または３８６はビデオ・フレーム内において色較正チャート４０４を発見し位置付けることができる。その後、コンピュータ３８４および／または３８６は、色較正チャートからの「既知の」色データ値（色較正チャート４０４内の色を示すデータ、および方向マークまたは複数の印に対するそれらの位置は、コンピュータ３８４および／または３８６の参照テーブル内等に格納する）を、色較正チャート４０４の種々の色に対応する位置においてビデオ画像内で捕獲された色と比較することができる。かかる比較に基づいて、コンピュータ３８４および／または３８６はビデオ画像の色を調節し、ビデオ画像の色と、色較正チャート４０４からの既知の色または真の色との間の対応関係を一層近付けることができる。
ある種の実施形態では、かかる色調節ビデオ・データを義歯調製プロセスにおいて、口腔内反射率計３８０を用いて収集した色／光学データに関連して、ビデオ画像（ポスチャライズされていても、されていなくても）の色を調節したり（例えば、上述のような、あるいは口腔内反射率計３８０からのデータを用いてビデオ画像の色を部分的に更に調節する）、あるいは義歯に微妙な特徴化または修正を加えたり、義歯を調製するため等にも用いることができる。口腔内反射率計３８０を用いて収集した色／光学データ程精度等が高いとは考えられないが、かかる色調節ビデオ・データは、ある種の用途、環境、状況等においては適当であり、かかる色調節ビデオ・データは、例えば、義歯の調製、患者のデータの収集および格納、前述したような材料の用意を含む用途に、口腔内反射率計３８０のようなデバイスによって得られた色データと同様に利用可能である。
更に、色較正チャート４０４を患者の口の内側に配置するように特定的に（サイズ、形態、および構成材料等を）改造し、検査対象の歯または複数の歯付近に位置付け、検査対象の歯または複数の歯と同じまたはほぼ同じ周囲光および環境状態に置くことも可能であることも注記しておく。また、ここで提供したコンピュータによって色補正ビデオ画像データに色較正チャート４０４を利用することは、医学、工業等のような他の分野において使用するように適合化させることも可能であるが、ここに記載した歯科学の分野におけるその新規で効果的な使用は、特にここで指摘し強調すべきものであることも注記しておく。
図２７は、本発明の更に別の実施形態を示し、本発明による口腔内反射率計を、歯科治療椅子上に取り付ける、あるいは着脱自在に固定するように改造することができる。本発明による歯科治療椅子の構成の一例は、基台４１２上に取り付けられた歯科診断椅子４１０を含み、かかる椅子に典型的な付属物、即ち、足制御部４１４、ホース（群）４１６（吸引、水等のための）、シンクおよび水源４２０、ならびにライト４１８のようなものを含む。好ましくは可動式のアーム４２２が支持台４２８から延出し、都合よく位置付け可能な支持台４３０を提供し、その上に歯科用器具４２４を着脱自在に取り付けたり、固定する。また、トレイ４２６を含ませることもでき、その上に歯科医は他の器具や材料を置くことができる。しかしながら、この実施形態によれば、計器４２４には、本発明による口腔内反射率計が含まれ、これは支持台４３０上に都合よく配置され、着脱自在に取り付け／固定されているので、歯科医は色／光学測定、データ収集および格納、ならびに義歯の調製を都合よく行うことができる。従来技術の大きく嵩張る器具とは異なり、本発明は、口腔内反射率計によって色／光学データを収集することができ、ある実施形態では、前述したように、口腔内カメラと組み合わせ、あるいはこれを利用し、更に、歯科治療椅子上に都合よく配置できるように容易に改造することができる。かかる歯科治療椅子も、口腔内カメラ、ドリル、ライト等のような他の器具を保持するように、容易に改造することができる。
更に、ここに開示した多数の発明の概念および技法の広い利用可能性および多様性を強調するために、この中の好適な実施形態において用いた光ファイバに加えて、他の光学的合焦および集光エレメントを用いて、物体／歯の光学特性を測定するために、本装置および方法論が利用可能であることは、本明細書の開示を検討すれば、当業者には明白であろう。例えば、レンズまたはミラーあるいはそのほかの光学エレメントを用いて、光源エレメントや受光エレメントを作成することも可能である。特定例として、本発明の大規模な実施形態において、フラッシュライトまたはその他の一般的に入手可能な光源を光源エレメントとして利用し、受光部を有する一般的な望遠鏡を、受光エレメントとして利用することができる。本明細書に提示した教示を利用するかかる改良（refinement）は、明らかに本発明の範囲に入るものである。
当業者には明らかであろうが、本発明にしたがって、ある種の改良も行うことができる。例えば、ある種の好適な実施形態では中央光源光ファイバを用いたが、（複数の光源ファイバ等のような）他の光源構成を用いてもよい。加えて、本発明の種々の態様では、参照テーブルを用いたが、多項式型の計算も同様に用いることができる。したがって、本発明の種々の好適な実施形態について例示の目的のために開示したが、請求の範囲に開示する本発明の範囲および精神から逸脱することなく、様々な変更、追加および／または交換が可能であることを当業者は認めよう。
また、本願と同日に特許協力条約の下で出願した係属中の国際出願である、本発明者らによる”Apparatus and Method for Measuring Optical Characteristics ofObject”に言及しておく。その内容は、この言及により本願にも含まれるものとする。
【図１】
0004219981.tif 000002
【図２】
0004219981.tif 000003
【図３】
0004219981.tif 000004
【図４Ａ】
0004219981.tif 000005
【図４Ｂ】
0004219981.tif 000006
【図４Ｃ】
0004219981.tif 000007
【図５Ａ】
0004219981.tif 000008
【図５Ｂ】
0004219981.tif 000009
【図６】
0004219981.tif 000010
【図７Ａ】
0004219981.tif 000011
【図７Ｂ】
0004219981.tif 000012
【図８Ａ】
0004219981.tif 000013
【図８Ｂ】
0004219981.tif 000014
【図９】
0004219981.tif 000015
【図１０Ａ】
0004219981.tif 000016
【図１０Ｂ】
0004219981.tif 000017
【図１０Ｃ】
0004219981.tif 000018
【図１０Ｄ】
0004219981.tif 000019
【図１１】
0004219981.tif 000020
【図１２】
0004219981.tif 000021
【図１３Ａ】
0004219981.tif 000022
【図１３Ｂ】
0004219981.tif 000023
【図１４Ａ】
0004219981.tif 000024
【図１４Ｂ】
0004219981.tif 000025
【図１５】
0004219981.tif 000026
【図１６】
0004219981.tif 000027
【図１７Ａ】
0004219981.tif 000028
【図１７Ｂ】
0004219981.tif 000029
【図１８】
0004219981.tif 000030
【図１９】
0004219981.tif 000031
【図２０】
0004219981.tif 000032
【図２１】
0004219981.tif 000033
【図２２】
0004219981.tif 000034
【図２３Ａ】
0004219981.tif 000035
【図２３Ｂ】
0004219981.tif 000036
【図２３Ｃ】
0004219981.tif 000037
【図２４】
0004219981.tif 000038
【図２５】
0004219981.tif 000039
【図２６】
0004219981.tif 000040
【図２７】
0004219981.tif 000041